(57)【要約】【課題】表示装置の近くにいる複数のユーザが端末装置に入力した用語や、当該複数のユーザの属性などに適合する適切な広告を、自動的に表示することができなかった。【解決手段】ユーザに関する情報であるユーザ関連情報を送信する端末装置と、広告情報が格納されており、受信した２以上のユーザ関連情報に対応する広告情報を取得し、当該広告情報を、表示装置識別子により識別される識別される表示装置に送信するサーバ装置と、受信した広告情報を出力する表示装置とを備える広告表示システムを構成するサーバ装置により、表示装置の近くにいる複数のユーザが端末装置に入力した用語や、当該複数のユーザの属性などに適合する適切な広告を、自動的に表示することができる。【選択図】図１
2014170451.tif 000002
【特許請求の範囲】
【請求項１】
２以上の端末装置とサーバ装置と１以上の表示装置とを備える広告表示システムを構成するサーバ装置あって、
前記端末装置は、
ユーザに関する情報であるユーザ関連情報が格納される端末ユーザ関連情報格納部と、
前記ユーザ関連情報を送信する端末送信部とを備え、
前記サーバ装置は、
２以上のユーザ関連情報が格納されるユーザ関連情報格納部と、
広告を示す広告情報と、当該広告情報を取得するための条件である取得条件とを有する１以上の広告管理情報が格納される広告管理情報格納部と、
前記広告情報の送信先である表示装置を識別する情報である１以上の送信先識別子が格納される送信先識別子格納部と、
２以上の各ユーザに関する２以上のユーザ関連情報を受信するサーバ受信部と、
前記サーバ受信部が受信した２以上のユーザ関連情報を、前記ユーザ関連情報格納部に蓄積するユーザ関連情報蓄積部と、
前記ユーザ関連情報格納部に格納されている２以上のユーザ関連情報を取得するユーザ関連情報取得部と、
前記ユーザ関連情報取得部が取得した２以上のユーザ関連情報と、前記１以上の各広告管理情報が有する１以上の取得条件とを用いて、当該２以上のユーザ関連情報に対応する１以上の広告情報を、前記広告管理情報格納部から取得する広告情報取得部と、
予め決められた条件を満たすほど前記端末装置の近くに存在する表示装置を識別する送信先識別子を、前記送信先識別子格納部から取得する送信先識別子取得部と、
前記広告情報取得部が取得した１以上の広告情報を、前記送信先識別子取得部が取得した送信先識別子により識別される表示装置に送信するサーバ送信部とを備え、
前記表示装置は、
１以上の広告情報を、前記サーバ装置から受信する受信部と、
前記受信部が受信した広告情報を出力する出力部とを備える広告表示システムを構成するサーバ装置。
【請求項２】
前記送信先識別子格納部には、
表示装置の位置を示す表示装置位置情報が対応付いた送信先識別子が格納されており、
前記端末装置は、
端末装置の現在位置を示す端末位置情報を取得する端末位置情報取得部をさらに備え、
前記端末送信部は、
前記ユーザ関連情報と、前記端末位置情報取得部が取得した端末位置情報とを対応付けて送信し、
前記サーバ受信部は、
端末位置情報が対応付いた２以上のユーザ関連情報を受信し、
前記ユーザ関連情報蓄積部は、
前記サーバ受信部が受信した２以上のユーザ関連情報を、当該２以上の各ユーザ関連情報に対応付いている端末位置情報と共に前記ユーザ関連情報格納部に蓄積し、
前記送信先識別子取得部は、
前記ユーザ関連情報取得部が取得した２以上のユーザ関連情報に対応付いている端末位置情報と、前記送信先識別子に対応付いている表示装置位置情報とを用いて、予め決められた条件を満たすほど前記端末装置の近くに存在する表示装置を識別する送信先識別子を、前記送信先識別子格納部から取得する請求項１記載の広告表示システムを構成するサーバ装置。
【請求項３】
前記ユーザ関連情報取得部は、
前記ユーザ関連情報格納部に格納されている２以上のユーザ関連情報を取得し、当該２以上のユーザ関連情報を用いて、当該２以上のユーザ関連情報に関する統計的な情報である統計的ユーザ関連情報を取得し、
前記広告情報取得部は、
前記ユーザ関連情報取得部が取得した統計的ユーザ関連情報が、前記１以上の広告管理情報が有する取得条件のいずれに合致するか否かを判断し、合致すると判断した取得条件に対応する広告情報を、前記広告管理情報格納部から取得する請求項１または請求項２記載の広告表示システムを構成するサーバ装置。
【請求項４】
前記ユーザ関連情報取得部は、
前記ユーザ関連情報格納部に、予め決められた条件を満たす数のユーザ関連情報が格納されている場合に、前記ユーザ関連情報格納部に格納されている２以上のユーザ関連情報を取得する請求項１から請求項３いずれか一項に記載の広告表示システムを構成するサーバ装置。
【請求項５】
前記広告情報には、当該広告情報が示す広告に関連する位置を特定することが可能な位置特定情報が対応付いており、
前記表示装置は、
前記受信部が受信した広告情報に対応付いている位置特定情報を、前記端末装置に送信する送信部をさらに備え、
前記端末装置は、
位置特定情報を、表示装置から受信する端末受信部と、
前記端末受信部が受信した位置特定情報を用いて、前記端末装置の現在位置から当該位置特定情報により特定される位置までの経路を探索し、当該経路を示す経路情報を取得する経路探索部と、
前記経路探索部が取得した経路情報を出力する端末出力部とをさらに備える請求項１から請求項４いずれか一項に記載の広告表示システムを構成するサーバ装置。
【請求項６】
前記表示装置は、
当該表示装置を識別する表示装置識別子が格納される表示装置識別子格納部をさらに備え、
前記端末送信部は、
前記ユーザ関連情報を、前記表示装置に送信し、
前記受信部は、
２以上のユーザ関連情報を、前記２以上の端末装置から受信し、広告情報を、前記サーバ装置から受信し、
前記表示装置は、
前記受信部が受信した２以上のユーザ関連情報と前記表示装置識別子とを対応付けて、前記サーバ装置に送信する送信部をさらに備え、
前記サーバ受信部は、
表示装置識別子が対応付いた２以上のユーザ関連情報を、前記表示装置から受信し、
前記サーバ装置は、
前記サーバ受信部が受信した２以上の各ユーザ関連情報に対応付いている表示装置識別子である送信先識別子を前記送信先識別子格納部に蓄積する送信先識別子蓄積部をさらに備え、
前記送信先識別子取得部は、
前記ユーザ関連情報取得部が取得した２以上のユーザ関連情報に対応付いている表示装置識別子を、前記送信先識別子格納部から取得する請求項１から請求項５いずれか一項に記載の広告表示システムを構成するサーバ装置。
【請求項７】
前記送信先識別子格納部には、
表示装置の位置を示す表示装置位置情報が対応付いた送信先識別子が格納されており、
前記端末送信部は、
前記ユーザ関連情報と前記端末位置情報とを対応付けて、前記サーバ装置に送信し、
前記サーバ受信部は、
端末位置情報が対応付いた２以上のユーザ関連情報を、前記２以上の端末装置から受信し、
前記ユーザ関連情報蓄積部は、
前記サーバ受信部が受信した２以上のユーザ関連情報を、当該２以上の各ユーザ関連情報に対応付いている端末位置情報と共に前記ユーザ関連情報格納部に蓄積し、
前記送信先識別子取得部は、
前記ユーザ関連情報取得部が取得した２以上のユーザ関連情報に対応付いている端末位置情報と、前記送信先識別子に対応付いている表示装置位置情報とを用いて、予め決められた条件を満たすほど前記端末装置の近くに存在する表示装置を識別する送信先識別子を、前記送信先識別子格納部から取得する請求項２から請求項５いずれか一項に記載の広告表示システムを構成するサーバ装置。
【請求項８】
前記ユーザ関連情報は、ユーザが入力した１以上の用語であり、
前記取得条件は、２以上の各ユーザが入力した１以上の用語に関する条件であり、
前記ユーザ関連情報取得部は、
前記ユーザ関連情報格納部に格納されている２以上の用語を取得し、
前記広告情報取得部は、
前記ユーザ関連情報取得部が取得した２以上の用語と、前記１以上の各広告管理情報が有する１以上の取得条件とを用いて、当該２以上の用語に対応する１以上の広告情報を、前記広告管理情報格納部から取得する請求項１から請求項７いずれか一項に記載の広告表示システムを構成するサーバ装置。
【請求項９】
前記ユーザ関連情報は、ユーザの１以上の各属性を示す１以上のユーザ属性情報であり、
前記取得条件は、２以上の各ユーザの１以上の属性に関する条件であり、
前記ユーザ関連情報取得部は、
前記ユーザ関連情報格納部に格納されている２以上のユーザ属性情報を取得し、
前記広告情報取得部は、
前記ユーザ関連情報取得部が取得した２以上のユーザ属性情報と、前記１以上の各広告管理情報が有する１以上の取得条件とを用いて、当該２以上のユーザ属性情報に対応する１以上の広告情報を、前記広告管理情報格納部から取得する請求項１から請求項７いずれか一項に記載の広告表示システムを構成するサーバ装置。
【請求項１０】
広告を示す広告情報と、当該広告情報を取得するための条件である取得条件とを有する１以上の広告管理情報が格納される広告管理情報格納部と、
受信部と、広告情報取得部と、出力部とを用いて行われる広告表示方法であって、
前記受信部が、
２以上の各ユーザに関する情報である２以上のユーザ関連情報を受信する受信部と、
前記広告情報取得部が、
前記受信部が受信した２以上のユーザ関連情報と、前記１以上の各広告管理情報が有する１以上の取得条件とを用いて、当該２以上のユーザ関連情報に対応する１以上の広告情報を、前記広告管理情報格納部から取得する広告情報取得部と、
前記出力部が、
前記広告情報取得部が取得した広告情報を出力する出力部とを備える広告表示方法。
【請求項１１】
広告を示す広告情報と、当該広告情報を取得するための条件である取得条件とを有する１以上の広告管理情報が格納される広告管理情報格納部とにアクセス可能なコンピュータを、
２以上の各ユーザに関する情報である２以上のユーザ関連情報を受信する受信部と、
前記受信部が受信した２以上のユーザ関連情報と、前記１以上の各広告管理情報が有する１以上の取得条件とを用いて、当該２以上のユーザ関連情報に対応する１以上の広告情報を、前記広告管理情報格納部から取得する広告情報取得部と、
前記広告情報取得部が取得した広告情報を出力する出力部として機能させるためのプログラム。
【発明の詳細な説明】
【技術分野】
【０００１】
本発明は、ディスプレイに表示するための広告を送信するサーバ装置等に関するものである。
【背景技術】
【０００２】
従来、いわゆるデジタルサイネージ向けのディスプレイ等が開発されている（非特許文献１参照）。
【先行技術文献】
【非特許文献】
【０００３】
【非特許文献１】“デジタルサイネージモデル：ディスプレイ”、［online］、ＮＥＣディスプレイソリューションズ株式会社、［２０１３年２月１８日検索］、インターネット［URL；http://www.nec-display.com/jp/display/digitalsignage/index.html］
【発明の概要】
【発明が解決しようとする課題】
【０００４】
従来のデジタルサイネージ向けのディスプレイ等では、当該装置の近くにいる複数のユーザが端末装置に入力した用語や、当該複数のユーザの属性などに適合する適切な広告を、自動的に表示することができなかった。
【課題を解決するための手段】
【０００５】
本第一の発明のサーバ装置は、２以上の端末装置とサーバ装置と１以上の表示装置とを備える広告表示システムを構成するサーバ装置あって、端末装置は、ユーザに関する情報であるユーザ関連情報が格納される端末ユーザ関連情報格納部と、ユーザ関連情報を送信する端末送信部とを備え、サーバ装置は、２以上のユーザ関連情報が格納されるユーザ関連情報格納部と、広告を示す広告情報と、広告情報を取得するための条件である取得条件とを有する１以上の広告管理情報が格納される広告管理情報格納部と、広告情報の送信先である表示装置を識別する情報である１以上の送信先識別子が格納される送信先識別子格納部と、２以上の各ユーザに関する２以上のユーザ関連情報を受信するサーバ受信部と、サーバ受信部が受信した２以上のユーザ関連情報を、ユーザ関連情報格納部に蓄積するユーザ関連情報蓄積部と、ユーザ関連情報格納部に格納されている２以上のユーザ関連情報を取得するユーザ関連情報取得部と、ユーザ関連情報取得部が取得した２以上のユーザ関連情報と、１以上の各広告管理情報が有する１以上の取得条件とを用いて、２以上のユーザ関連情報に対応する１以上の広告情報を、広告管理情報格納部から取得する広告情報取得部と、予め決められた条件を満たすほど端末装置の近くに存在する表示装置を識別する送信先識別子を、送信先識別子格納部から取得する送信先識別子取得部と、広告情報取得部が取得した１以上の広告情報を、送信先識別子取得部が取得した送信先識別子により識別される表示装置に送信するサーバ送信部とを備え、表示装置は、１以上の広告情報を、サーバ装置から受信する受信部と、受信部が受信した広告情報を出力する出力部とを備える広告表示システムを構成するサーバ装置である。
【０００６】
このような構成により、表示装置の近くにいる複数のユーザが端末装置に入力した用語や、当該複数のユーザの属性などに適合する適切な広告を、自動的に表示することができる。
【０００７】
また、本第二の発明のサーバ装置は、第一の発明に対して、送信先識別子格納部には、表示装置の位置を示す表示装置位置情報が対応付いた送信先識別子が格納されており、端末装置は、端末装置の現在位置を示す端末位置情報を取得する端末位置情報取得部をさらに備え、端末送信部は、ユーザ関連情報と、端末位置情報取得部が取得した端末位置情報とを対応付けて送信し、サーバ受信部は、端末位置情報が対応付いた２以上のユーザ関連情報を受信し、ユーザ関連情報蓄積部は、サーバ受信部が受信した２以上のユーザ関連情報を、２以上の各ユーザ関連情報に対応付いている端末位置情報と共にユーザ関連情報格納部に蓄積し、送信先識別子取得部は、ユーザ関連情報取得部が取得した２以上のユーザ関連情報に対応付いている端末位置情報と、送信先識別子に対応付いている表示装置位置情報とを用いて、予め決められた条件を満たすほど端末装置の近くに存在する表示装置を識別する送信先識別子を、送信先識別子格納部から取得する広告表示システムを構成するサーバ装置である。
【０００８】
このような構成により、表示装置の近くにいる複数のユーザが端末装置に入力した用語や、当該複数のユーザの属性などに適合する適切な広告を、自動的に表示することができる。
【０００９】
また、本第三の発明のサーバ装置は、第一または第二の発明に対して、ユーザ関連情報取得部は、ユーザ関連情報格納部に格納されている２以上のユーザ関連情報を取得し、２以上のユーザ関連情報を用いて、２以上のユーザ関連情報に関する統計的な情報である統計的ユーザ関連情報を取得し、広告情報取得部は、ユーザ関連情報取得部が取得した統計的ユーザ関連情報が、１以上の広告管理情報が有する取得条件のいずれに合致するか否かを判断し、合致すると判断した取得条件に対応する広告情報を、広告管理情報格納部から取得する広告表示システムを構成するサーバ装置である。
【００１０】
このような構成により、表示装置の近くにいる複数のユーザが端末装置に入力した用語や、当該複数のユーザの属性などに関する統計的な情報に適合する適切な広告を、自動的に表示することができる。
【００１１】
また、本第四の発明のサーバ装置は、第一から第三いずれか１つの発明に対して、ユーザ関連情報取得部は、ユーザ関連情報格納部に、予め決められた条件を満たす数のユーザ関連情報が格納されている場合に、ユーザ関連情報格納部に格納されている２以上のユーザ関連情報を取得する広告表示システムを構成するサーバ装置である。
【００１２】
このような構成により、予め決められた条件を満たす数の用語やユーザの属性ごとに、当該用語や属性などに適合する適切な広告を取得することができる。
【００１３】
また、本第五の発明のサーバ装置は、第一から第四いずれか１つの発明に対して、広告情報には、広告情報が示す広告に関連する位置を特定することが可能な位置特定情報が対応付いており、表示装置は、受信部が受信した広告情報に対応付いている位置特定情報を、端末装置に送信する送信部をさらに備え、端末装置は、位置特定情報を、表示装置から受信する端末受信部と、端末受信部が受信した位置特定情報を用いて、端末装置の現在位置から位置特定情報により特定される位置までの経路を探索し、経路を示す経路情報を取得する経路探索部と、経路探索部が取得した経路情報を出力する端末出力部とをさらに備える広告表示システムを構成するサーバ装置である。
【００１４】
このような構成により、表示装置に表示されている広告に関連する位置までの経路案内を行うことができる。
【００１５】
また、本第六の発明のサーバ装置は、第一から第五いずれか１つの発明に対して、表示装置は、表示装置を識別する表示装置識別子が格納される表示装置識別子格納部をさらに備え、端末送信部は、ユーザ関連情報を、表示装置に送信し、受信部は、２以上のユーザ関連情報を、２以上の端末装置から受信し、広告情報を、サーバ装置から受信し、表示装置は、受信部が受信した２以上のユーザ関連情報と表示装置識別子とを対応付けて、サーバ装置に送信する送信部をさらに備え、サーバ受信部は、表示装置識別子が対応付いた２以上のユーザ関連情報を、表示装置から受信し、サーバ装置は、サーバ受信部が受信した２以上の各ユーザ関連情報に対応付いている表示装置識別子である送信先識別子を送信先識別子格納部に蓄積する送信先識別子蓄積部をさらに備え、送信先識別子取得部は、ユーザ関連情報取得部が取得した２以上のユーザ関連情報に対応付いている表示装置識別子を、送信先識別子格納部から取得する広告表示システムを構成するサーバ装置である。
【００１６】
このような構成により、表示装置の近くにいる複数のユーザが端末装置に入力した用語や、当該複数のユーザの属性に適合する適切な広告を、自動的に表示することができる。
【００１７】
また、本第七の発明のサーバ装置は、第二から第五いずれか１つの発明に対して、送信先識別子格納部には、表示装置の位置を示す表示装置位置情報が対応付いた送信先識別子が格納されており、端末送信部は、ユーザ関連情報と端末位置情報とを対応付けて、サーバ装置に送信し、サーバ受信部は、端末位置情報が対応付いた２以上のユーザ関連情報を、２以上の端末装置から受信し、ユーザ関連情報蓄積部は、サーバ受信部が受信した２以上のユーザ関連情報を、２以上の各ユーザ関連情報に対応付いている端末位置情報と共にユーザ関連情報格納部に蓄積し、送信先識別子取得部は、ユーザ関連情報取得部が取得した２以上のユーザ関連情報に対応付いている端末位置情報と、送信先識別子に対応付いている表示装置位置情報とを用いて、予め決められた条件を満たすほど端末装置の近くに存在する表示装置を識別する送信先識別子を、送信先識別子格納部から取得する広告表示システムを構成するサーバ装置である。
【００１８】
このような構成により、表示装置の近くにいる複数のユーザが端末装置に入力した用語や、当該複数のユーザの属性に適合する適切な広告を、自動的に表示することができる。
【００１９】
また、本第八の発明のサーバ装置は、第一から第七いずれか１つの発明に対して、ユーザ関連情報は、ユーザが入力した１以上の用語であり、取得条件は、２以上の各ユーザが入力した１以上の用語に関する条件であり、ユーザ関連情報取得部は、ユーザ関連情報格納部に格納されている２以上の用語を取得し、広告情報取得部は、ユーザ関連情報取得部が取得した２以上の用語と、１以上の各広告管理情報が有する１以上の取得条件とを用いて、２以上の用語に対応する１以上の広告情報を、広告管理情報格納部から取得する広告表示システムを構成するサーバ装置である。
【００２０】
このような構成により、表示装置の近くにいる複数のユーザが過去に端末装置に入力した用語に適合する適切な広告を、自動的に表示することができる。
【００２１】
また、本第九の発明のサーバ装置は、第一から第七いずれか１つの発明に対して、ユーザ関連情報は、ユーザの１以上の各属性を示す１以上のユーザ属性情報であり、取得条件は、２以上の各ユーザの１以上の属性に関する条件であり、ユーザ関連情報取得部は、ユーザ関連情報格納部に格納されている２以上のユーザ属性情報を取得し、広告情報取得部は、ユーザ関連情報取得部が取得した２以上のユーザ属性情報と、１以上の各広告管理情報が有する１以上の取得条件とを用いて、２以上のユーザ属性情報に対応する１以上の広告情報を、広告管理情報格納部から取得する広告表示システムを構成するサーバ装置である。
【００２２】
このような構成により、表示装置の近くにいる複数のユーザの属性に適合する適切な広告を、自動的に表示することができる。
【発明の効果】
【００２３】
本発明によるサーバ装置等によれば、表示装置の近くにいる複数のユーザが端末装置に入力した用語や、当該複数のユーザの属性などに適合する適切な広告を、自動的に表示することができる。
【図面の簡単な説明】
【００２４】
【図１】実施の形態１における広告表示システム１の概念図
【図２】同端末装置１１、サーバ装置１２、表示装置１３のブロック図
【図３】同端末装置１１の全体動作について説明するフローチャート
【図４】同サーバ装置１２の全体動作について説明するフローチャート
【図５】同ユーザ関連情報群の取得処理について説明するフローチャート
【図６】同選択ユーザ関連情報からのユーザ関連情報群の取得処理について説明するフローチャート
【図７】同広告情報の取得処理について説明するフローチャート
【図８】同送信先識別子の取得処理について説明するフローチャート
【図９】同表示装置１３の全体動作について説明するフローチャート
【図１０】同広告管理情報の例を示す図
【図１１】同ユーザ関連情報の例を示す図
【図１２】同送信先識別子の例を示す図
【図１３】同送信先識別子の例を示す図
【図１４】同ユーザ関連情報の例を示す図
【図１５】同ユーザ関連情報の例を示す図
【図１６】同広告情報の出力例を示す図
【図１７】同経路情報の出力例を示す図
【図１８】実施の形態２における広告表示システム２の概念図
【図１９】同端末装置２１の全体動作について説明するフローチャート
【図２０】同サーバ装置２２の全体動作について説明するフローチャート
【図２１】同表示装置２３の全体動作について説明するフローチャート
【図２２】実施の形態１におけるサーバ装置３２、表示装置３３のブロック図
【図２３】実施の形態１における表示装置４３のブロック図
【図２４】実施の形態２におけるサーバ装置５２、表示装置５３のブロック図
【図２５】実施の形態２におけるサーバ装置６２、表示装置６３のブロック図
【図２６】同広告情報の出力例を示す図
【図２７】上記実施の形態におけるコンピュータシステムの概観図
【図２８】上記実施の形態におけるコンピュータシステムのブロック図
【発明を実施するための形態】
【００２５】
以下、本発明によるサーバ装置等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２６】
（実施の形態１）
本実施の形態において、端末装置１１と、サーバ装置１２と、表示装置１３とを備える広告表示システム１について説明する。端末装置１１は、表示装置１３に、ユーザ関連情報を送信する。表示装置１３は、受信したユーザ関連情報と、自身を識別する表示装置識別子とを、サーバ装置１２に送信する。サーバ装置１２は、受信した２以上のユーザ関連情報に関する統計的ユーザ関連情報を取得し、当該統計的ユーザ関連情報に対応する広告情報を取得する。そして、サーバ装置１２は、受信した表示装置識別子により識別される表示装置１３に、取得した広告情報を送信する。表示装置１３は、受信した広告情報を出力する。
【００２７】
図１は、本実施の形態における広告表示システム１の概念図である。図１において、端末装置１１と、表示装置１３とは、ネットワーク１４を介して接続されている。ネットワーク１４は、通常、いわゆるＷｉ−Ｆｉ（登録商標）や、Ｂｌｕｅｔｏｏｔｈ（登録商標）、赤外線通信、非接触通信などの、近距離（短距離）無線通信であることが好適である。また、サーバ装置１２と表示装置１３とは、ネットワーク１５を介して接続されている。ネットワーク１５は、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、端末装置１１は、例えば、いわゆるスマートフォンやフィーチャーフォンなどの携帯電話や、タブレット型のパソコン、ＰＤＡなどである。また、当該端末装置１１は、通常、２以上である。また、当該２以上の各端末装置１１は、通常、異なるユーザ（人）が所持している。また、表示装置１３は、通常、いわゆるサイネージディスプレイである。また、表示装置１３は、通常、２以上である。
【００２８】
図２は、本実施の形態における端末装置１１、サーバ装置１２、表示装置１３のブロック図である。端末装置１１は、端末ユーザ関連情報格納部１１０１、端末位置情報取得部１１０２、端末受付部１１０３、端末送信部１１０４、端末受信部１１０５、経路探索部１１０６、端末出力部１１０７を備える。また、サーバ装置１２は、広告管理情報格納部１２０１、ユーザ関連情報格納部１２０２、送信先識別子格納部１２０３、サーバ受信部１２０４、ユーザ関連情報蓄積部１２０５、送信先識別子蓄積部１２０６、ユーザ関連情報取得部１２０７、広告情報取得部１２０８、送信先識別子取得部１２０９、サーバ送信部１２１０を備える。また、表示装置１３は、表示装置識別子格納部１３０１、受信部１３０２、出力部１３０３、送信部１３０４を備える。
【００２９】
端末ユーザ関連情報格納部１１０１には、１以上のユーザ関連情報が格納される。ユーザ関連情報とは、ユーザに関する情報である。ユーザ関連情報は、例えば、端末装置１１に入力された情報である入力情報や、ユーザの属性を示す情報であるユーザ属性情報などである。
【００３０】
入力情報は、通常、ユーザが端末装置１１に入力した情報（以下、適宜、ユーザ入力情報）である。また、入力情報は、例えば、端末装置１１が自動的に取得した情報（以下、適宜、自動取得情報）であってもよい。ユーザ入力情報は、例えば、ユーザが特定のアプリケーションソフトウェアにおいて入力した情報である。当該特定のアプリケーションソフトウェアとは、例えば、ナビゲーション用のソフトウェアや、いわゆる検索エンジンなどである。ナビゲーション用のソフトウェアにおけるユーザ入力情報は、例えば、目的地である。また、いわゆる検索エンジンにおけるユーザ入力情報は、例えば、地名や、駅名、店名、食べ物などの任意の用語（キーワード）などである。また、自動取得情報は、通常、位置を示す位置情報である。当該位置は、通常、経緯度である。また、当該位置は、例えば、高さ（高度）を含んでもよい。また、当該位置情報は、通常、後述の端末位置情報取得部１１０２が取得する端末位置情報である。
【００３１】
また、ユーザ属性情報は、例えば、ユーザの性別や、年齢、年齢層、趣味、嗜好などを示す情報である。
【００３２】
以上より、ユーザ関連情報は、通常、１種類以上の情報である。なお、ユーザ関連情報は、ユーザに関する情報であれば、形式や内容などは、問わない。
【００３３】
端末位置情報取得部１１０２は、端末位置情報を取得する。端末位置情報とは、端末装置１１の現在位置を示す位置情報である。位置情報が示す位置は、通常、経緯度である。また、当該位置は、高度を含んでもよい。また、端末位置情報取得部１１０２は、通常、定期的に端末位置情報を取得する。また、端末位置情報取得部１１０２が取得した端末位置情報は、例えば、端末ユーザ関連情報格納部１１０１に蓄積されてもよい。また、端末位置情報取得部１１０２は、通常、衛星航法システム（ＧＰＳ受信機など）や、移動体通信用の基地局から位置情報を受信する装置などから、端末位置情報を取得する。この場合、端末位置情報取得部１１０２は、これらの装置を有していてもよいし、これらの装置で実現され得てもよい。また、端末位置情報取得部１１０２の処理手順は、通常、ソフトウェアで実現され、当該ソフトウェアはＲＯＭ等の記録媒体に記録されている。
【００３４】
端末受付部１１０３は、ユーザ関連情報を受け付ける。受け付けとは、タッチパネルや、キーボードなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。また、端末受付部１１０３が受け付けたユーザ関連情報は、通常、端末ユーザ関連情報格納部１１０１に蓄積される。
【００３５】
また、端末受付部１１０３は、例えば、ユーザ関連情報を送信する指示であるユーザ関連情報送信指示や、電源ＯＮの指示、電源ＯＦＦの指示などを受け付けてもよい。ユーザ関連情報送信指示を受け付けた場合、後述の端末送信部１１０４は、ユーザ関連情報を送信する。また、電源ＯＮの指示、電源ＯＦＦの指示などを受け付けた場合、端末装置１１は、通常、当該受け付けた指示に応じた予め決められた処理を行う。
【００３６】
端末受付部１１０３における情報や指示などの入力手段は、メニュー画面によるものや、キーボードなど、何でもよい。端末受付部１１０３は、メニュー画面の制御ソフトウェアや、キーボード等の入力手段のデバイスドライバなどで実現され得る。
【００３７】
端末送信部１１０４は、ユーザ関連情報を送信する。当該ユーザ関連情報は、端末ユーザ関連情報格納部１１０１に格納されている１以上のユーザ関連情報である。また、端末送信部１１０４は、例えば、ユーザ関連情報と端末位置情報とを送信してもよい。当該端末位置情報は、端末位置情報取得部１１０２が取得した端末位置情報である。また、この場合、端末送信部１１０４は、通常、ユーザ関連情報と端末位置情報とを対応付けて送信する。また、この場合、ユーザ関連情報と端末位置情報とが対応付いていればよく、端末送信部１１０４は、ユーザ関連情報と端末位置情報とを、同時に送信してもよいし、別々に送信してもよい。また、本実施の形態において、端末送信部１１０４は、通常、表示装置１３に、ユーザ関連情報、またはユーザ関連情報と端末位置情報とを送信する。
【００３８】
また、端末送信部１１０４は、例えば、当該１以上のユーザ関連情報から予め決められた条件に合致する１以上のユーザ関連情報を取得し、当該取得したユーザ関連情報を送信してもよい。当該予め決められた条件とは、例えば、予め決められた数の入力情報であることや、ユーザ属性情報のみであること、予め決められた数以下の入力情報とユーザ属性情報であることなどである。また、当該ユーザ関連情報の取得は、通常、図示しない端末ユーザ関連情報取得部が行う。
【００３９】
端末受信部１１０５は、位置特定情報を受信する。位置特定情報とは、位置を特定することが可能な情報である。「位置を特定することが可能である」とは、位置を直接的または間接的に特定することが可能であることを意味する。位置を直接的に特定することが可能な位置特定情報は、通常、位置情報である。また、位置を間接的に特定することが可能な位置特定情報は、通常、住所や、郵便番号、店名などを示す情報である。
【００４０】
また、端末受信部１１０５は、例えば、後述の表示装置１３が出力している広告情報の一部を読み取ることにより位置特定情報を取得してもよい。当該広告情報の一部とは、例えば、いわゆる二次元コードである。
【００４１】
経路探索部１１０６は、端末装置１１の現在位置から位置特定情報により特定される位置までの経路を探索する。そして、経路探索部１１０６は、当該経路を示す経路情報を取得する。当該位置特定情報は、端末受信部１１０５が受信した位置特定情報である。また、当該端末装置１１の現在位置は、端末位置情報取得部１１０２が取得した端末位置情報により示される。
【００４２】
まず、経路探索部１１０６は、位置特定情報を用いて位置情報を取得する。当該位置特定情報が位置情報である場合、経路探索部１１０６は、当該位置特定情報を位置情報として取得する。また、当該位置特定情報が位置情報以外である場合、経路探索部１１０６は、当該位置特定情報により特定される位置を示す位置情報を取得する。「位置特定情報により特定される位置を示す位置情報を取得する」とは、当該位置特定情報に対応する位置情報を取得することである。なお、住所、郵便番号、店名などを示す位置特定情報に対応する位置情報を取得する方法や手順などは、公知であるので、説明を省略する。
【００４３】
そして、経路探索部１１０６は、例えば、端末位置情報と取得した位置情報とを地図情報に適用し、当該端末位置情報が示す位置から取得した位置情報が示す位置までの経路を探索する。端末位置情報を地図情報に適用するとは、当該端末位置情報が示す位置を出発地とすることである。また、取得した位置情報を地図情報に適用するとは、当該位置情報を目的地とすることである。そして、経路探索部１１０６は、当該探索した経路を示す経路情報を、当該地図情報から取得する。
【００４４】
なお、経路探索は、公知の技術であるので、詳細な説明を省略する。また、地図情報が示す地図の種類は、問わない。また、地図情報は、例えば、カーナビゲーションで用いられるＫＩＷＩフォーマットのものや、地図の画像などである。当該画像は、例えば、ラスタデータや、ベクタデータである。また、地図情報は、通常、地図上の地点を示す地点情報や、地図上の道路を示す１以上の道路情報などを有する。地点情報は、例えば、地点の名称を示す地点名称情報や、地点の位置を示す地点位置情報などを有する。道路情報は、例えば、道路を識別する道路識別子や、道路の始点の位置を示す始点位置情報、道路の終点の位置を示す終点位置情報、道路の経由地の位置を示す経由位置情報などを有する。地点位置情報、起点位置情報、終点位置情報、経由位置情報は、位置情報である。
【００４５】
端末出力部１１０７は、経路探索部１１０６が取得した経路情報を出力する。出力とは、ディスプレイへの表示、プロジェクターを用いた投影、プリンタでの印字、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００４６】
広告管理情報格納部１２０１には、広告情報と、取得条件とを有する１以上の広告管理情報が格納される。当該広告情報と取得条件とは、通常、対応付いている。また、広告管理情報には、位置特定情報が対応付いていてもよい。
【００４７】
広告情報とは、広告を示す情報である。広告情報の形式は、問わない。広告情報の形式は、例えば、画像や、音声、動画、映像などである。広告情報の形式は、例えば、文字（テキスト）であってもよい。
【００４８】
また、取得条件とは、広告情報を取得するための条件である。取得条件は、通常、ユーザに関する条件である。つまり、取得条件は、例えば、ユーザ関連情報に関する条件や、統計的ユーザ関連情報に関する条件などである。
【００４９】
ここで、統計的ユーザ関連情報とは、２以上の各ユーザに関する２以上のユーザ関連情報に関する統計的な情報である。「統計的な情報」とは、統計処理を行った結果、得られる情報である。つまり、統計的ユーザ関連情報とは、例えば、２以上のユーザ関連情報における最多のユーザ関連情報や、２以上のユーザ関連情報の数に対する、当該２以上のユーザ関連情報のうちの一のユーザ関連情報の数の割合などである。ユーザ関連情報は、例えば、ユーザが端末装置１１に入力した用語や、ユーザの性別、ユーザの年齢層などである。従って、統計的ユーザ関連情報とは、具体的には、すべての用語における最多の用語や、すべての性別における最多の性別、すべての年齢層における最多の年齢総、全用語に対する一の用語の割合、男女の割合、年齢層ごとの割合などである。なお、統計的ユーザ関連情報は、通常、ユーザ関連情報を包含するものである。
【００５０】
以上より、取得条件は、例えば、２以上の各ユーザが入力した１以上の用語（合計、２以上の用語）に関する条件や、２以上の各ユーザの１以上の属性（合計、２以上の属性）に関する条件などである。取得条件は、具体的には、例えば、最多の用語が予め決められた用語であることや、最多の性別が予め決められた性別であること、最多の年齢層が予め決められた年齢層であること、予め決められた一の用語の割合が予め決められた割合以上であること、男性の割合が予め決められた割合以上であること、予め決められた年齢層の割合が予め決められた割合以上であることなどである。また、取得条件は、例えば、上記の各条件の２以上の組み合わせであってもよい。当該組み合わせは、通常、ＡＮＤ（論理積）またはＯＲ（論理和）である。
【００５１】
ユーザ関連情報格納部１２０２には、２以上のユーザ関連情報が格納される。当該２以上のユーザ関連情報は、通常、２以上の各ユーザに関するユーザ関連情報である。
【００５２】
送信先識別子格納部１２０３には、１以上の送信先識別子が格納される。送信先識別子とは、後述のサーバ送信部１２１０が広告情報を送信する送信先を識別する情報である。当該送信先は、通常、表示装置１３である。つまり、送信先識別子は、通常、表示装置１３を識別する表示装置識別子である。表示装置識別子は、通常、ＩＰアドレスや、ＭＡＣアドレスなどである。
【００５３】
また、送信先識別子格納部１２０３には、例えば、１以上の送信先識別子が予め格納されていてもよいし、そうでなくてもよい。予め格納されている場合、当該１以上の各送信先識別子には、通常、表示装置位置情報が対応付いている。表示装置位置情報とは、表示装置１３の位置を示す位置情報である。また、予め格納されていない場合、当該１以上の送信先識別子は、通常、後述のサーバ受信部１２０４が受信し、後述の送信先識別子蓄積部１２０６により蓄積された送信先識別子である。
【００５４】
サーバ受信部１２０４は、以下のいずれかの情報を、表示装置１３から受信する。
（１）ユーザ関連情報と表示装置識別子
（２）ユーザ関連情報と表示装置位置情報
（３）ユーザ関連情報と端末位置情報
上記（１）から（３）の各情報について、各情報が有する２つの情報は、通常、対応付いている。また、上記（１）から（３）の各情報について、各情報が有するユーザ関連情報は、通常、２以上のユーザに関するユーザ関連情報である。つまり、例えば、サーバ受信部１２０４が、２つの上記（１）の情報を受信したとする。この場合、当該２つの各情報が有するユーザ関連情報は、通常、２人の各ユーザに関するユーザ関連情報である。
【００５５】
ユーザ関連情報蓄積部１２０５は、サーバ受信部１２０４が受信したユーザ関連情報を、ユーザ関連情報格納部１２０２に蓄積する。また、このとき、ユーザ関連情報蓄積部１２０５は、通常、当該ユーザ関連情報に対応付いている情報と共に、ユーザ関連情報を蓄積する。当該対応付いている情報とは、例えば、端末位置情報や、表示装置位置情報である。
【００５６】
また、ユーザ関連情報蓄積部１２０５は、例えば、蓄積時の日時を示す日時情報も対応付けて、ユーザ関連情報を蓄積してもよい。また、当該日時情報は、サーバ受信部１２０４がユーザ関連情報を受信した日時を示す日時情報であってもよい。これらの場合、当該日時情報は、通常、ユーザ関連情報蓄積部１２０５が取得する。また、日時情報の取得の方法や手順などは、公知であるので、詳細な説明を省略する。
【００５７】
送信先識別子蓄積部１２０６は、表示装置識別子を、送信先識別子として送信先識別子格納部１２０３に蓄積する。当該表示装置識別子は、サーバ受信部１２０４が受信した２以上の各ユーザ関連情報に対応付いている表示装置識別子である。
【００５８】
また、送信先識別子蓄積部１２０６は、例えば、蓄積時の日時を示す日時情報を対応付けて、送信先識別子を蓄積してもよい。また、当該日時情報は、サーバ受信部１２０４がユーザ関連情報と共に表示装置識別子を受信した日時を示す日時情報であってもよい。これらの場合、当該日時情報は、通常、送信先識別子蓄積部１２０６が取得する。また、日時情報の取得の方法や手順などは、公知であるので、詳細な説明を省略する。
【００５９】
なお、ユーザ関連情報蓄積部１２０５と、送信先識別子蓄積部１２０６のそれぞれが蓄積する情報の関係は、次のとおりである。例えば、サーバ受信部１２０４が、ユーザ関連情報と表示装置識別子とを受信した場合は、通常、ユーザ関連情報蓄積部１２０５が、当該ユーザ関連情報をユーザ関連情報格納部１２０２に蓄積し、送信先識別子蓄積部１２０６が、当該表示装置識別子を送信先識別子として送信先識別子格納部１２０３に蓄積する。このとき、当該ユーザ関連情報と表示装置識別子とは、通常、対応付けて蓄積される。当該「対応付けて」とは、対応付いていることが判別可能な状態であってもよい。また、例えば、サーバ受信部１２０４がユーザ関連情報と表示装置位置情報とを受信した場合は、通常、ユーザ関連情報蓄積部１２０５が、当該２つの情報を対応付けて、ユーザ関連情報格納部１２０２に蓄積する。また、例えば、サーバ受信部１２０４がユーザ関連情報と表示装置位置情報とを受信した場合は、通常、ユーザ関連情報蓄積部１２０５が、当該２つの情報を対応付けて、ユーザ関連情報格納部１２０２に蓄積する。
【００６０】
ユーザ関連情報取得部１２０７は、ユーザ関連情報格納部１２０２に格納されている２以上のユーザ関連情報を取得する。また、ユーザ関連情報取得部１２０７は、当該取得した２以上のユーザ関連情報を用いて、統計的ユーザ関連情報を取得してもよい。
【００６１】
ユーザ関連情報取得部１２０７は、通常、予め決められた条件（以下、適宜、選択条件）に合致する２以上のユーザ関連情報を取得する。選択条件は、通常、ユーザ関連情報や、ユーザ関連情報が有する情報などに関する条件である。選択条件は、例えば、所定の期間内に送信されたことや、所定の種類のユーザ属性情報を有することなどである。また、選択条件は、すべてのユーザ関連情報を取得することであってもよい。
【００６２】
例えば、選択条件が「ユーザ属性＝（性別＆年齢層）」であるとする。当該選択条件は、性別を示すユーザ属性情報と、年齢層を示すユーザ属性情報とを有することを意味する。この様な場合、ユーザ関連情報取得部１２０７は、当該２種類のユーザ属性情報を有する２以上のユーザ関連情報を、ユーザ関連情報格納部１２０２から取得する。
【００６３】
また、例えば、選択条件が「１１：００：００〜１１：０５：００」であるとする。当該選択条件は、１１時００分００秒から１１時０５分００秒までの間に送信されたことを意味する。この様な場合、ユーザ関連情報取得部１２０７は、当該期間に合致する２以上のユーザ関連情報を、ユーザ関連情報格納部１２０２から取得する。また、このときユーザ関連情報取得部１２０７は、当該期間に合致するか否かを、ユーザ関連情報に対応付いている日時情報を用いて判断する。
【００６４】
また、例えば、選択条件が「ＡＬＬ」であるとする。当該選択条件は、すべてのユーザ関連情報を取得することを意味する。この様な場合、ユーザ関連情報取得部１２０７は、ユーザ関連情報格納部１２０２に格納されているすべてのユーザ関連情報を取得する。
【００６５】
また、ユーザ関連情報取得部１２０７は、通常、ユーザ関連情報格納部１２０２に格納されている２以上の各ユーザ関連情報に対応付いている情報にも応じて、２以上のユーザ関連情報を取得する。当該２以上の各ユーザ関連情報に対応付いている情報とは、通常、送信先識別子、表示装置位置情報、端末位置情報のいずれかである。
【００６６】
（１）ユーザ関連情報格納部１２０２に格納されている２以上のユーザ関連情報に送信先識別子が対応付いている場合：この場合、ユーザ関連情報取得部１２０７は、通常、同一の送信先識別子ごとに、当該同一の送信先識別子が対応付いている２以上のユーザ関連情報を取得する。具体的に、ユーザ関連情報取得部１２０７は、例えば、まず、１以上の送信先識別子を、送信先識別子格納部１２０３から順に取得する。当該取得の順序は、問わない。そして、ユーザ関連情報取得部１２０７は、当該取得した１以上の送信先識別子ごとに、当該一の送信先識別子と同一の送信先識別子が対応付いている２以上のユーザ関連情報を、ユーザ関連情報格納部１２０２から取得する。
【００６７】
（２）ユーザ関連情報格納部１２０２に格納されている２以上のユーザ関連情報に表示装置位置情報が対応付いている場合：この場合、ユーザ関連情報取得部１２０７は、通常、同一の表示装置位置情報ごとに、当該同一の表示装置位置情報が対応付いている２以上のユーザ関連情報を取得する。具体的に、ユーザ関連情報取得部１２０７は、例えば、まず、１以上の表示装置位置情報を、送信先識別子格納部１２０３から順に取得する。当該取得の順序は、問わない。そして、ユーザ関連情報取得部１２０７は、当該取得した１以上の表示装置位置情報ごとに、当該一の表示装置位置情報と同一の表示装置位置情報が対応付いている２以上のユーザ関連情報を、ユーザ関連情報格納部１２０２から取得する。
【００６８】
（３）ユーザ関連情報格納部１２０２に格納されている２以上のユーザ関連情報に端末位置情報が対応付いている場合：この場合、ユーザ関連情報取得部１２０７は、通常、予め決められた条件を満たすほど一の表示装置１３に近い位置を示す端末位置情報が対応付いている２以上のユーザ関連情報ごとに、当該２以上のユーザ関連情報を取得する。つまり、この場合、送信先識別子格納部１２０３には、通常、表示装置位置情報が対応付いた１以上の送信先識別子が予め格納されている。そして、ユーザ関連情報取得部１２０７は、当該１以上の各表示装置位置情報に対応する２以上のユーザ関連情報を、ユーザ関連情報格納部１２０２から取得する。当該「表示装置位置情報に対応する２以上のユーザ関連情報」とは、通常、当該表示装置位置情報が示す位置との距離が、予め決められた条件を満たすほど近い位置を示す端末位置情報が対応付いている２以上のユーザ関連情報である。
【００６９】
また、上記（３）において、具体的に、ユーザ関連情報取得部１２０７は、例えば、まず、１以上の表示装置位置情報を、送信先識別子格納部１２０３から順に取得する。当該取得の順序は、問わない。そして、ユーザ関連情報取得部１２０７は、当該取得した１以上の各表示装置位置情報ごとに、当該一の表示装置位置情報が示す位置と、２以上の各ユーザ関連情報に対応付いている端末位置情報が示す位置との距離を算出する。そして、ユーザ関連情報取得部１２０７は、当該距離が予め決められた条件を満たすか否かを判断する。当該予め決められた条件は、通常、距離に関する条件である。また、当該予め決められた条件を、以下、適宜、距離条件とする。そして、ユーザ関連情報取得部１２０７は、満たすと判断した端末位置情報が対応付いている２以上のユーザ関連情報を、ユーザ関連情報格納部１２０２から取得する。
【００７０】
また、上記において、ユーザ関連情報取得部１２０７は、例えば、取得したユーザ関連情報を、ユーザ関連情報格納部１２０２から削除してもよい。当該「削除」には、通常、削除されたことを示す情報（いわゆるフラグ）を付与することも含む。
【００７１】
また、２以上のユーザ関連情報を取得するタイミングは、例えば、定期的であってもよいし、そうでなくてもよい。また、当該タイミングに関する条件を、以下、適宜、タイミング条件とする。
【００７２】
定期的なタイミングに関するタイミング条件は、例えば、予め決められた時間間隔ごとに取得することや、予め決められた時刻になるたびに取得することなどである。タイミング条件が、予め決められた時間間隔ごとに取得することである場合、ユーザ関連情報取得部１２０７は、通常、以前に２以上のユーザ関連情報を取得してから予め決められた時間が経過したか否かを判断する。そして、経過した場合、ユーザ関連情報取得部１２０７は、２以上のユーザ関連情報を取得する。また、タイミング条件が、予め決められた時刻になるたびに取得することである場合、ユーザ関連情報取得部１２０７は、通常、予め決められた時刻であるか否かを判断する。そして、当該時刻である場合、ユーザ関連情報取得部１２０７は、２以上のユーザ関連情報を取得する。
【００７３】
また、定期的でない（不定期な）タイミングに関するタイミング条件は、例えば、予め決められた条件を満たす数のユーザ関連情報がユーザ関連情報格納部１２０２に蓄積されるたびに取得することなどである。当該「予め決められた条件を満たす数」とは、通常、ユーザ数である。また、「予め決められた条件を満たす数」とは、例えば、ユーザ関連情報の数や、所定の種類のユーザ関連情報の数などであってもよい。この場合、ユーザ関連情報取得部１２０７は、通常、定期的に、ユーザ関連情報格納部１２０２に、予め決められた条件を満たす数のユーザ関連情報が格納されているか否か（予め決められた条件を満たす数のユーザ関連情報が蓄積されたか否か）を判断する。そして、格納されている場合、ユーザ関連情報取得部１２０７は、２以上のユーザ関連情報を取得する。
【００７４】
例えば、タイミング条件が「５分ごと」であるとする。この様な場合、ユーザ関連情報取得部１２０７は、５分ごとに、２以上のユーザ関連情報を取得する。また、例えば、タイミング条件が「毎時００分＆毎時３０分」であるとする。この様な場合、ユーザ関連情報取得部１２０７は、毎時００分になるたびに、かつ、毎時３０分になるたびに、２以上のユーザ関連情報を取得する。また、例えば、タイミング条件が「ユーザ数≧２００」であるとする。この様な場合、ユーザ関連情報取得部１２０７は、ユーザ関連情報格納部１２０２に２００人分以上のユーザ関連情報が蓄積されるたびに、２以上のユーザ関連情報を取得する。また、例えば、タイミング条件が「用語数≧１０００」であるとする。この様な場合、ユーザ関連情報取得部１２０７は、ユーザ関連情報格納部１２０２に１０００個以上の用語が蓄積されるたびに、２以上のユーザ関連情報を取得する。
【００７５】
また、以上より、ユーザ関連情報取得部１２０７は、通常、２以上の各ユーザに関する２以上のユーザ関連情報を有するユーザ関連情報の集合（以下、適宜、ユーザ関連情報群）を、１以上取得する。そして、ユーザ関連情報取得部１２０７は、当該１以上のユーザ関連情報群ごとに、統計的ユーザ関連情報を取得する。なお、統計的ユーザ関連情報を取得する手順などは、以下のとおりである。
【００７６】
例えば、上記の２以上のユーザ関連情報がユーザ入力情報である場合、ユーザ関連情報取得部１２０７は、通常、当該２以上のユーザ入力情報に関する統計的ユーザ関連情報を取得する。ユーザ入力情報は、通常、地名や食べ物などの用語である。従って、２以上のユーザ入力情報に関する統計的ユーザ関連情報とは、例えば、最多の用語や、全用語に対する各用語の割合などである。
【００７７】
例えば、ユーザ関連情報格納部１２０２に、２以上の用語が格納されているとする。当該用語は、通常、２以上の各ユーザが入力した用語である。また、当該２以上の用語は、例えば、同一のユーザについては重複はないが、異なるユーザ間では重複があってもよい。そして、当該２以上の用語が、例えば、「東京」、「横浜」、「神戸」、「横浜」、「神戸」、「神戸」、「東京」、「神戸」であるとする。この様な場合、ユーザ関連情報取得部１２０７は、まず、当該３種類の各用語の数をカウントする。そして、ユーザ関連情報取得部１２０７は、例えば、最多の用語「神戸」を、統計的ユーザ関連情報として取得する。また、ユーザ関連情報取得部１２０７は、例えば、当該３種類の各用語の割合「東京：２５％」、「横浜：２５％」、「神戸：５０％」を、統計的ユーザ関連情報として取得する。
【００７８】
また、例えば、上記の２以上のユーザ関連情報がユーザ属性情報である場合、ユーザ関連情報取得部１２０７は、通常、当該２以上のユーザ属性情報に関する統計的ユーザ関連情報を取得する。ユーザ属性情報は、通常、ユーザの性別や、ユーザの年齢総などである。従って、２以上のユーザ属性情報に関する統計的ユーザ関連情報とは、例えば、最多の性別や、最多の年齢層、男女の割合、年齢層の割合などである。
【００７９】
例えば、ユーザ関連情報格納部１２０２に、２以上の性別を示すユーザ属性情報が格納されているとする。当該ユーザ属性情報が示す性別は、通常、２以上の各ユーザの性別である。そして、当該性別を示す２以上のユーザ属性情報が、例えば、「男」、「女」、「女」、「男」、「女」、「女」、「女」、「女」であるとする。この様な場合、ユーザ関連情報取得部１２０７は、まず、当該２種類の各性別の数をカウントする。そして、ユーザ関連情報取得部１２０７は、例えば、最多の性別「女」を、統計的ユーザ関連情報として取得する。また、ユーザ関連情報取得部１２０７は、例えば、当該２種類の各性別の割合「男：２５％」、「女：７５％」を、統計的ユーザ関連情報として取得する。
【００８０】
広告情報取得部１２０８は、ユーザ関連情報取得部１２０７が取得した２以上のユーザ関連情報に対応する１以上の広告情報を、広告管理情報格納部１２０１から取得する。このとき、広告情報取得部１２０８は、ユーザ関連情報取得部１２０７が取得した２以上のユーザ関連情報と、１以上の各広告管理情報が有する１以上の取得条件とを用いて、広告情報を取得する。また、広告情報取得部１２０８は、通常、ユーザ関連情報取得部１２０７が取得した情報に応じて、１または２以上の広告情報を取得する。
【００８１】
例えば、ユーザ関連情報取得部１２０７が１以上のユーザ関連情報群を取得した場合、広告情報取得部１２０８は、当該１以上の各ユーザ関連情報群が有する２以上の各ユーザ関連情報に対応する広告情報を取得する。具体的に、広告情報取得部１２０８は、当該１以上の各ユーザ関連情報群について、当該一のユーザ関連情報群が有する２以上の各ユーザ関連情報が、１以上の広告管理情報が有する取得条件のいずれに合致するか否かを判断する。そして、広告情報取得部１２０８は、合致すると判断した取得条件に対応する広告情報を、広告管理情報格納部１２０１から取得する。なお、この場合、広告情報取得部１２０８は、通常、一のユーザ関連情報群につき、２以上の広告情報を取得する。
【００８２】
また、例えば、ユーザ関連情報取得部１２０７が１以上の統計的ユーザ関連情報を取得した場合、広告情報取得部１２０８は、当該１以上の各統計的ユーザ関連情報に対応する広告情報を取得する。具体的に、広告情報取得部１２０８は、ユーザ関連情報取得部１２０７が取得した統計的ユーザ関連情報が、１以上の広告管理情報が有する取得条件のいずれに合致するか否かを判断する。そして、広告情報取得部１２０８は、合致すると判断した取得条件に対応する広告情報を、広告管理情報格納部１２０１から取得する。なお、この場合、広告情報取得部１２０８は、通常、一の統計的ユーザ関連情報につき、１または２以上の広告情報を取得する。
【００８３】
また、例えば、ユーザ関連情報がユーザ入力情報「神戸」であるとする。当該ユーザ入力情報は、ユーザが端末装置１１に入力した１以上の文字（用語）である。また、取得条件が「用語＝（神戸ｏｒ三宮）」であるとする。当該取得条件は、ユーザ入力情報が「神戸」または「三宮」であることを意味する。この様な場合、広告情報取得部１２０８は、当該ユーザ関連情報が当該取得条件に合致すると判断する。
【００８４】
また、例えば、ユーザ関連情報がユーザ入力情報「姫路城」であるとする。当該ユーザ入力情報は、ユーザが端末装置１１に入力した１以上の文字（用語）である。また、取得条件が「用語＝（．＋城）」であるとする。当該取得条件は、ユーザ入力情報が「１以上の文字」＋「城」であることを意味する。この様な場合、広告情報取得部１２０８は、当該ユーザ関連情報が当該取得条件に合致すると判断する。
【００８５】
また、例えば、ユーザ関連情報がユーザ属性情報「女」であるとする。当該ユーザ属性情報は、ユーザの性別が「女」であることを示す。また、取得条件が「性別＝（女）」であるとする。当該取得条件は、性別を示すユーザ属性情報が「女」であることを意味する。この様な場合、広告情報取得部１２０８は、当該ユーザ関連情報が当該取得条件に合致すると判断する。
【００８６】
また、例えば、統計的ユーザ関連情報が「神戸」であるとする。当該統計的ユーザ関連情報は、最多の用語である。また、例えば、取得条件が「最多用語＝神戸」であるとする。当該取得条件は、最多の用語が「神戸」であることを意味する。この様な場合、広告情報取得部１２０８は、当該統計的ユーザ関連情報が当該取得条件に合致すると判断する。
【００８７】
また、例えば、統計的ユーザ関連情報が「姫路城」であるとする。当該統計的ユーザ関連情報は、最多の用語である。また、例えば、取得条件が「最多用語＝（．＋城）」であるとする。当該取得条件は、最多の用語が「１以上の文字」＋「城」であることを意味する。この様な場合、広告情報取得部１２０８は、当該統計的ユーザ関連情報が当該取得条件に合致すると判断する。
【００８８】
また、例えば、統計的ユーザ関連情報が「神戸：６５％」であるとする。当該統計的ユーザ関連情報は、用語「神戸」の割合である。また、例えば、取得条件が「割合（神戸ｏｒ三宮）≧５０％」であるとする。当該取得条件は、用語「神戸」または「三宮」の割合が５０％以上であることを意味する。この様な場合、広告情報取得部１２０８は、当該統計的ユーザ関連情報が当該取得条件に合致すると判断する。
【００８９】
また、例えば、統計的ユーザ関連情報が「女」であるとする。当該統計的ユーザ属性情報は、最多の性別が「女」であることを示す。また、例えば、取得条件が「女＞男」であるとする。当該取得条件は、男より女の方が多い（「男」を示すユーザ属性情報の数よりも、「女」を示すユーザ属性情報の数の方が多い）ことを意味する。この様な場合、広告情報取得部１２０８は、当該統計的ユーザ関連情報が当該取得条件に合致すると判断する。
【００９０】
また、例えば、統計的ユーザ関連情報が「２０代：４０％」であるとする。当該統計的ユーザ属性情報は、２０代の割合が「４０％」であることを示す。また、例えば、取得条件が「割合（２０代）≧３０％」であるとする。当該取得条件は、２０代の割合（「２０代」を示すユーザ属性情報の割合）が３０％以上であることを意味する。この様な場合、広告情報取得部１２０８は、当該統計的ユーザ関連情報が当該取得条件に合致すると判断する。
【００９１】
送信先識別子取得部１２０９は、ユーザ関連情報取得部１２０７が取得した２以上のユーザ関連情報に対応する送信先識別子を、送信先識別子格納部１２０３から取得する。当該送信先識別子は、広告情報取得部１２０８が取得した広告情報に対応する送信先識別子でもある。また、当該送信先識別子は、通常、予め決められた条件を満たすほど端末装置１１の近くに存在する表示装置１３を識別する送信先識別子である。当該送信先識別子は、言い換えると、端末装置１１がユーザ関連情報を送信した際の位置の近くに存在する表示装置１３を識別する送信先識別子である。また、送信先識別子取得部１２０９は、通常、ユーザ関連情報取得部１２０７が１以上のユーザ関連情報群を取得した方法（どのような方法で１以上のユーザ関連情報群をユーザ関連情報格納部１２０２から取得したか）に応じて、送信先識別子を取得する。
【００９２】
（１）同一の送信先識別子が対応付いているユーザ関連情報ごとにユーザ関連情報群を取得した場合：この場合、ユーザ関連情報群が有する２以上の各ユーザ関連情報に対応付いている送信先識別子が、送信先識別子格納部１２０３に格納されている。従って、この場合、送信先識別子取得部１２０９は、例えば、当該２以上の各ユーザ関連情報に対応付いている送信先識別子を、送信先識別子格納部１２０３から取得する。
【００９３】
（２）同一の表示装置位置情報が対応付いているユーザ関連情報ごとにユーザ関連情報群を取得した場合：この場合、送信先識別子格納部１２０３には、通常、表示装置位置情報が対応付いた１以上の送信先識別子が予め格納されている。従って、この場合、送信先識別子取得部１２０９は、例えば、ユーザ関連情報群が有する２以上の各ユーザ関連情報に対応付いている表示装置位置情報と同一の表示装置位置情報が対応付いている送信先識別子を、送信先識別子格納部１２０３から取得する。
【００９４】
（３）一の表示装置位置情報に対応するユーザ関連情報ごとにユーザ関連情報群を取得した場合：この場合、送信先識別子格納部１２０３には、通常、表示装置位置情報が対応付いた１以上の送信先識別子が予め格納されている。従って、この場合、送信先識別子取得部１２０９は、例えば、ユーザ関連情報取得部１２０７が、ユーザ関連情報群が有する２以上のユーザ関連情報と対応すると判断した（当該２以上のユーザ関連情報を取得するために用いた）一の表示装置位置情報と同一の表示装置位置情報が対応付いている送信先識別子を、送信先識別子格納部１２０３から取得する。
【００９５】
また、上記（３）において、送信先識別子取得部１２０９は、例えば、ユーザ関連情報群が有する２以上の端末位置情報に対応する送信先識別子を取得してもよい。当該「２以上の端末位置情報に対応する送信先識別子」とは、通常、当該２以上の各端末位置情報が示す２以上の各位置との距離の合計が、予め決められた条件を満たすほど近い位置を示す表示装置位置情報が対応付いている送信先識別子である。この場合、送信先識別子取得部１２０９は、例えば、ユーザ関連情報取得部１２０７が取得した１以上の各ユーザ関連情報群ごとに、当該一のユーザ関連情報群が有する２以上の各ユーザ関連情報に対応付いている端末位置情報が示す位置と、送信先識別子格納部１２０３に格納されている表示装置位置情報が示す位置との距離を算出し、その合計を算出する。そして、送信先識別子取得部１２０９は、当該距離の合計が予め決められた条件を満たすか否かを判断する。当該予め決められた条件は、通常、距離に関する距離条件である。そして、送信先識別子取得部１２０９は、満たすと判断した表示装置位置情報が対応付いている送信先識別子を、送信先識別子格納部１２０３から取得する。
【００９６】
サーバ送信部１２１０は、広告情報取得部１２０８が取得した広告情報を、表示装置１３に送信する。当該表示装置１３は、送信先識別子取得部１２０９が取得した送信先識別子により識別される表示装置１３である。これは、つまり、当該広告情報を、端末装置１１がユーザ関連情報を送信した際の位置の近くに存在する表示装置１３に送信することである。また、当該広告情報には、位置特定情報が対応付いていることが好適である。
【００９７】
表示装置識別子格納部１３０１は、表示装置識別子が格納される。当該表示装置識別子には、例えば、表示装置位置情報が対応付いていてもよい。また、表示装置識別子格納部１３０１には、表示装置位置情報のみが格納されていてもよい。
【００９８】
受信部１３０２は、ユーザ関連情報を、端末装置１１から受信する。当該ユーザ関連情報は、通常、異なる２以上のユーザのユーザ関連情報である。つまり、例えば、受信部１３０２がユーザ関連情報を２つ受信したとする。この場合、当該２つのユーザ関連情報は、通常、異なる２人のユーザ関連情報である。また、当該ユーザ関連情報には、例えば、端末位置情報が対応付いていてもよい。
【００９９】
また、受信部１３０２は、広告情報を、サーバ装置１２から受信する。当該広告情報には、１以上の位置特定情報が対応付いていてもよい。
【０１００】
出力部１３０３は、受信部１３０２が受信した広告情報を出力する。例えば、広告情報が画像である場合、出力部１３０３は、当該画像を画面出力する。また、例えば、広告情報が音声である場合、出力部１３０３は、当該音声を音出力する。また、例えば、広告情報が動画である場合、出力部１３０３は、当該動画を再生し、画面出力する。また、例えば、広告情報が映像である場合、出力部１３０３は、当該映像を再生し、画面出力および音出力する。
【０１０１】
送信部１３０４は、ユーザ関連情報を、サーバ装置１２に送信する。当該ユーザ関連情報は、受信部１３０２が受信したユーザ関連情報である。また、ユーザ関連情報を送信する場合、送信部１３０４は、例えば、当該ユーザ関連情報と、表示装置識別子格納部１３０１に格納されている表示装置識別子とを対応付けて、サーバ装置１２に送信してもよい。また、表示装置識別子格納部１３０１に表示装置位置情報が格納されている場合、送信部１３０４は、例えば、当該ユーザ関連情報と、当該表示装置位置情報とを対応付けて、サーバ装置１２に送信してもよい。
【０１０２】
また、送信部１３０４は、位置特定情報を、端末装置１１に送信する。送信部１３０４は、通常、受信部１３０２が受信した広告情報に位置特定情報が対応付いている場合に、当該位置特定情報を端末装置１１に送信する。
【０１０３】
なお、端末ユーザ関連情報格納部１１０１、広告管理情報格納部１２０１、ユーザ関連情報格納部１２０２、送信先識別子格納部１２０３、表示装置識別子格納部１３０１は、不揮発性の記録媒体が好適であるが、揮発性の記録媒体でも実現可能である。また、端末ユーザ関連情報格納部１１０１などに予め決められた情報が記憶される過程は、問わない。例えば、当該予め決められた情報は、記録媒体や、通信回線、入力デバイスなどを介して端末ユーザ関連情報格納部１１０１などに記憶されてもよい。
【０１０４】
また、端末送信部１１０４、サーバ送信部１２１０、送信部１３０４は、通常、無線または有線の通信手段で実現されるが、放送手段で実現されてもよい。
【０１０５】
また、端末受信部１１０５、サーバ受信部１２０４、受信部１３０２は、通常、無線または有線の通信手段で実現されるが、放送を受信する手段で実現されてもよい。
【０１０６】
また、経路探索部１１０６、ユーザ関連情報蓄積部１２０５、送信先識別子蓄積部１２０６、ユーザ関連情報取得部１２０７、広告情報取得部１２０８、送信先識別子取得部１２０９は、通常、ＭＰＵやメモリ等から実現され得る。また、経路探索部１１０６などの処理手順は、通常、ソフトウェアで実現され、当該ソフトウェアはＲＯＭ等の記録媒体に記録されている。なお、経路探索部１１０６などは、ハードウェア（専用回路）で実現されてもよい。
【０１０７】
また、端末出力部１１０７、出力部１３０３は、ディスプレイやスピーカーなどの出力デバイスを含むと考えてもよいし、含まないと考えてもよい。端末出力部１１０７などは、出力デバイスのドライバソフトまたは、出力デバイスのドライバソフトと出力デバイスなどで実現され得る。
【０１０８】
次に、広告表示システム１の全体動作について、フローチャートを用いて説明する。なお、予め決められた情報におけるｉ番目の情報は、「情報［ｉ］」と記載するものとする。まず、端末装置１１の全体動作について、図３のフローチャートを用いて説明する。なお、図３のフローチャートにおいて、端末ユーザ関連情報格納部１１０１には、予めユーザ属性情報が格納されているものとする。
【０１０９】
（ステップＳ３０１）端末装置１１は、端末受付部１１０３が電源ＯＮの指示を受け付けたか否かを判断する。受け付けた場合は、ステップＳ３０２に進み、そうでない場合は、ステップＳ３０１に戻る。
【０１１０】
（ステップＳ３０２）端末装置１１は、電源ＯＮの処理を行う。
【０１１１】
（ステップＳ３０３）端末位置情報取得部１１０２は、端末位置情報の取得を開始する。以降、端末位置情報取得部１１０２は、通常、端末装置１１の電源がＯＦＦになるまで、端末位置情報を定期的に取得し続ける。
【０１１２】
（ステップＳ３０４）図示しない端末蓄積部は、端末受付部１１０３が入力情報を受け付けたか否かを判断する。受け付けた場合は、ステップＳ３０５に進み、そうでない場合は、ステップＳ３０６に進む。
【０１１３】
（ステップＳ３０５）図示しない端末蓄積部は、ステップＳ３０４で受け付けた入力情報を、端末ユーザ関連情報格納部１１０１に蓄積する。
【０１１４】
（ステップＳ３０６）端末送信部１１０４は、ユーザ関連情報の送信のタイミングであるか否かを判断する。例えば、ユーザ関連情報の送信は、端末受付部１１０３がユーザ関連情報を送信する指示であるユーザ関連情報送信指示を受け付けた場合に行うと予め決められている場合、端末送信部１１０４は、端末受付部１１０３がユーザ関連情報送信指示を受け付けたか否かを判断する。そして、送信のタイミングである場合は、ステップＳ３０７に進み、そうでない場合は、ステップＳ３１４に進む。
【０１１５】
（ステップＳ３０７）端末送信部１１０４は、ユーザ関連情報のみを送信するか、ユーザ関連情報と端末位置情報とを送信するか否かを判断する。例えば、当該送信する情報の種類を示す情報が予め決められた記憶領域に格納されている場合、端末送信部１１０４は、当該情報により送信する情報の種類を判断する。そして、ユーザ関連情報のみを送信する場合は、ステップＳ３０８に進み、そうでない場合は、ステップＳ３０９に進む。
【０１１６】
（ステップＳ３０８）図示しない端末ユーザ関連情報取得部は、端末ユーザ関連情報格納部１１０１から予め決められた条件に合致する１以上のユーザ関連情報を取得する。そして、端末送信部１１０４は、当該取得した１以上のユーザ関連情報を、表示装置１３に送信する。
【０１１７】
（ステップＳ３０９）図示しない端末ユーザ関連情報取得部は、端末ユーザ関連情報格納部１１０１から予め決められた条件に合致する１以上のユーザ関連情報を取得する。そして、端末送信部１１０４は、当該取得した１以上のユーザ関連情報と、端末位置情報取得部１１０２が取得した端末位置情報とを対応付け、表示装置１３に送信する。
【０１１８】
（ステップＳ３１０）経路探索部１１０６は、端末受信部１１０５が位置特定情報を受信したか否かを判断する。受信した場合は、ステップＳ３１１に進み、そうでない場合は、ステップＳ３１４に進む。
【０１１９】
（ステップＳ３１１）経路探索部１１０６は、位置特定情報を用いて、当該位置特定情報により特定される位置を示す位置情報を取得する。
【０１２０】
（ステップＳ３１２）経路探索部１１０６は、端末位置情報取得部１１０２が取得した端末位置情報と、ステップＳ３１１で取得した位置情報とを用いて、端末位置情報が示す位置から取得した位置情報が示す位置までの経路を探索し、当該経路を示す経路情報を取得する。
【０１２１】
（ステップＳ３１３）端末出力部１１０７は、ステップＳ３１２で取得した経路情報を出力する。
【０１２２】
（ステップＳ３１４）端末装置１１は、端末受付部１１０３が電源ＯＦＦの指示を受け付けたか否かを判断する。受け付けた場合は、ステップＳ３１５に進み、そうでない場合は、ステップＳ３０４に戻る。
【０１２３】
（ステップＳ３１５）端末装置１１は、電源ＯＦＦの処理を行う。そして、ステップＳ３０１に戻る。
【０１２４】
なお、図３のフローチャートにおいて、電源オフや処理終了の割り込みにより処理を終了してもよい。
【０１２５】
次に、サーバ装置１２の全体動作について、図４のフローチャートを用いて説明する。なお、ユーザ関連情報取得部１２０７は、統計的ユーザ関連情報を取得するものとする。また、ユーザ関連情報取得部１２０７が、２以上のユーザ関連情報のみを取得する場合については、統計的ユーザ関連情報を取得する場合とほぼ同様であるので、説明を省略する。
【０１２６】
（ステップＳ４０１）ユーザ関連情報蓄積部１２０５は、サーバ受信部１２０４がユーザ関連情報を表示装置１３から受信したか否かを判断する。受信した場合は、ステップＳ４０２に進み、そうでない場合は、ステップＳ４０１に戻る。
【０１２７】
（ステップＳ４０２）ユーザ関連情報蓄積部１２０５は、ステップＳ４０１で受信したユーザ関連情報に対応付いている情報が何であるかを判断する。表示装置識別子が対応付いている場合は、ステップＳ４０３に進み、表示装置位置情報が対応付いている場合は、ステップＳ４０５に進み、端末位置情報が対応付いている場合は、ステップＳ４０６に進む。
【０１２８】
（ステップＳ４０３）ユーザ関連情報蓄積部１２０５は、ステップＳ４０１で受信したユーザ関連情報を、ユーザ関連情報格納部１２０２に蓄積する。
【０１２９】
（ステップＳ４０４）送信先識別子蓄積部１２０６は、ステップＳ４０１で受信したユーザ関連情報に対応付いている表示装置識別子を、送信先識別子として送信先識別子格納部１２０３に蓄積する。
【０１３０】
（ステップＳ４０５）ユーザ関連情報蓄積部１２０５は、ステップＳ４０１で受信したユーザ関連情報を、当該ユーザ関連情報に対応付いている表示装置位置情報と共にユーザ関連情報格納部１２０２に蓄積する。
【０１３１】
（ステップＳ４０６）ユーザ関連情報蓄積部１２０５は、ステップＳ４０１で受信したユーザ関連情報を、当該ユーザ関連情報に対応付いている端末位置情報と共にユーザ関連情報格納部１２０２に蓄積する。
【０１３２】
（ステップＳ４０７）ユーザ関連情報取得部１２０７は、ユーザ関連情報の取得のタイミングであるか否かを判断する。取得のタイミングである場合は、ステップＳ４０８に進み、そうでない場合は、ステップＳ４０１に戻る。
【０１３３】
（ステップＳ４０８）ユーザ関連情報取得部１２０７は、ユーザ関連情報格納部１２０２から、１以上のユーザ関連情報群を取得する。この処理の詳細は、図５のフローチャートを用いて説明する。なお、ここで、ユーザ関連情報取得部１２０７は、ｍ個のユーザ関連情報群を取得したものとする。
【０１３４】
（ステップＳ４０９）ユーザ関連情報取得部１２０７は、ステップＳ４０８で取得したｍ個の各ユーザ関連情報群から、統計的ユーザ関連情報を取得する。
【０１３５】
（ステップＳ４１０）広告情報取得部１２０８は、ステップＳ４０８で取得したｍ個の各ユーザ関連情報群に対応する広告情報を、ステップＳ４０９で取得した統計的ユーザ関連情報を用いて取得する。この処理の詳細は、図７のフローチャートを用いて説明する。
【０１３６】
（ステップＳ４１１）送信先識別子取得部１２０９は、カウンタｉに１をセットする。
【０１３７】
（ステップＳ４１２）送信先識別子取得部１２０９は、ステップＳ４０８で取得したユーザ関連情報群［ｉ］に位置情報が対応付いているか否かを判断する。対応付いている場合は、ステップＳ４１４に進み、そうでない場合は、ステップＳ４１３に進む。
【０１３８】
（ステップＳ４１３）送信先識別子取得部１２０９は、ユーザ関連情報群［ｉ］に対応する送信先識別子を、送信先識別子格納部１２０３から取得する。
【０１３９】
（ステップＳ４１４）送信先識別子取得部１２０９は、ユーザ関連情報群［ｉ］に対応する送信先識別子を、対応付いている位置情報を用いて送信先識別子格納部１２０３から取得する。この処理の詳細は、図８のフローチャートを用いて説明する。
【０１４０】
（ステップＳ４１５）サーバ送信部１２１０は、ステップＳ４１０で取得したユーザ関連情報群［ｉ］に対応する広告情報である広告情報［ｉ］を、ステップＳ４１３またはステップＳ４１４で取得した送信先識別子により識別される表示装置１３に送信する。
【０１４１】
（ステップＳ４１６）送信先識別子取得部１２０９は、ｉがｍであるか否かを判断する。ｍである場合は、ステップＳ４０１に戻り、そうでない場合は、ステップＳ４１７に進む。
【０１４２】
（ステップＳ４１７）送信先識別子取得部１２０９は、ｉを１インクリメントする。そして、ステップＳ４１２に戻る。
【０１４３】
なお、図４のフローチャートにおいて、電源オフや処理終了の割り込みにより処理を終了してもよい。
【０１４４】
図５は、図４のフローチャートのステップＳ４０８のユーザ関連情報群の取得処理を示すフローチャートである。なお、図５のフローチャートにおいて、ユーザ関連情報格納部１２０２には、ｍ個のユーザ関連情報が格納されているものとする。
【０１４５】
（ステップＳ５０１）ユーザ関連情報取得部１２０７は、カウンタｉに１をセットする。
【０１４６】
（ステップＳ５０２）ユーザ関連情報取得部１２０７は、ユーザ関連情報［ｉ］が選択条件に合致するか否かを判断する。合致する場合は、ステップＳ５０３に進み、そうでない場合は、ステップＳ５０４に進む。
【０１４７】
（ステップＳ５０３）ユーザ関連情報取得部１２０７は、ユーザ関連情報［ｉ］を、選択条件に合致するユーザ関連情報である選択ユーザ関連情報として取得する。
【０１４８】
（ステップＳ５０４）ユーザ関連情報取得部１２０７は、ｉがｍであるか否かを判断する。ｍである場合は、ステップＳ５０６に進み、そうでない場合は、ステップＳ５０５に進む。
【０１４９】
（ステップＳ５０５）ユーザ関連情報取得部１２０７は、カウンタｉを１インクリメントする。そして、ステップＳ５０２に戻る。
【０１５０】
（ステップＳ５０６）ユーザ関連情報取得部１２０７は、ステップＳ５０３で取得した１以上の選択ユーザ関連情報から、１以上のユーザ関連情報群を取得する。この処理の詳細は、図６のフローチャートを用いて説明する。そして、上位処理にリターンする。
【０１５１】
図６は、図５のフローチャートのステップＳ５０６の選択ユーザ関連情報からのユーザ関連情報群の取得処理を示すフローチャートである。なお、図６のフローチャートにおいて、送信先識別子格納部１２０３には、ｍ個の送信先識別子が格納されているものとする。また、当該各送信先識別子には、表示装置位置情報が対応付いているものとする。また、選択ユーザ関連情報は、ｎ個であるものとする。
【０１５２】
（ステップＳ６０１）ユーザ関連情報取得部１２０７は、カウンタｉに１をセットする。
【０１５３】
（ステップＳ６０２）ユーザ関連情報取得部１２０７は、選択ユーザ関連情報に対応付いている情報が何であるかを判断する。送信先識別子が対応付いている場合は、ステップＳ６０３に進み、表示装置位置情報が対応付いている場合は、ステップＳ６０８に進み、端末位置情報が対応付いている場合は、ステップＳ６１３に進む。
【０１５４】
（ステップＳ６０３）ユーザ関連情報取得部１２０７は、カウンタｊに１をセットする。
【０１５５】
（ステップＳ６０４）ユーザ関連情報取得部１２０７は、選択ユーザ関連情報［ｊ］に対応付いている送信先識別子が、送信先識別子［ｉ］と同一であるか否かを判断する。同一である場合は、ステップＳ６０５に進み、そうでない場合は、ステップＳ６０６に進む。
【０１５６】
（ステップＳ６０５）ユーザ関連情報取得部１２０７は、ユーザ関連情報群を格納する変数ｇｒｏｕｐ［ｉ］に、選択ユーザ関連情報［ｊ］を追加する。
【０１５７】
（ステップＳ６０６）ユーザ関連情報取得部１２０７は、ｊがｎであるか否かを判断する。ｎである場合は、ステップＳ６１９に進み、そうでない場合は、ステップＳ６０７に進む。
【０１５８】
（ステップＳ６０７）ユーザ関連情報取得部１２０７は、ｊを１インクリメントする。そして、ステップＳ６０４に戻る。
【０１５９】
（ステップＳ６０８）ユーザ関連情報取得部１２０７は、カウンタｊに１をセットする。
【０１６０】
（ステップＳ６０９）ユーザ関連情報取得部１２０７は、選択ユーザ関連情報［ｊ］に対応付いている表示装置位置情報が、表示装置位置情報［ｉ］と同一であるか否かを判断する。同一である場合は、ステップＳ６１０に進み、そうでない場合は、ステップＳ６１１に進む。
【０１６１】
（ステップＳ６１０）ユーザ関連情報取得部１２０７は、ユーザ関連情報群を格納する変数ｇｒｏｕｐ［ｉ］に、選択ユーザ関連情報［ｊ］を追加する。
【０１６２】
（ステップＳ６１１）ユーザ関連情報取得部１２０７は、ｊがｎであるか否かを判断する。ｎである場合は、ステップＳ６１９に進み、そうでない場合は、ステップＳ６１２に進む。
【０１６３】
（ステップＳ６１２）ユーザ関連情報取得部１２０７は、ｊを１インクリメントする。そして、ステップＳ６０９に戻る。
【０１６４】
（ステップＳ６１３）ユーザ関連情報取得部１２０７は、カウンタｊに１をセットする。
【０１６５】
（ステップＳ６１４）ユーザ関連情報取得部１２０７は、選択ユーザ関連情報［ｊ］に対応付いている端末位置情報と、表示装置位置情報［ｉ］とを用いて、当該２つの位置情報が示す位置間の距離を算出する。
【０１６６】
（ステップＳ６１５）ユーザ関連情報取得部１２０７は、ステップＳ６１４で算出した距離が距離条件を満たすか否かを判断する。満たす場合は、ステップＳ６１６に進み、そうでない場合は、ステップＳ６１７に進む。
【０１６７】
（ステップＳ６１６）ユーザ関連情報取得部１２０７は、ユーザ関連情報群を格納する変数ｇｒｏｕｐ［ｉ］に、選択ユーザ関連情報［ｊ］を追加する。
【０１６８】
（ステップＳ６１７）ユーザ関連情報取得部１２０７は、ｊがｎであるか否かを判断する。ｎである場合は、ステップＳ６１９に進み、そうでない場合は、ステップＳ６１８に進む。
【０１６９】
（ステップＳ６１８）ユーザ関連情報取得部１２０７は、ｊを１インクリメントする。そして、ステップＳ６１４に戻る。
【０１７０】
（ステップＳ６１９）ユーザ関連情報取得部１２０７は、ｉがｍであるか否かを判断する。ｍである場合は、上位処理にリターンし、そうでない場合は、ステップＳ６２０に進む。
【０１７１】
（ステップＳ６２０）ユーザ関連情報取得部１２０７は、ｉを１インクリメントする。そして、ステップＳ６０２に戻る。
【０１７２】
図７は、図４のフローチャートのステップＳ４１０の広告情報の取得処理を示すフローチャートである。なお、図７のフローチャートにおいて、ユーザ関連情報群はｍ個であり、当該ｍ個の各ユーザ関連情報群について、統計的ユーザ関連情報が取得済みであるものとする。また、広告管理情報格納部１２０１には、ｎ個の広告管理情報が格納されているものとする。
【０１７３】
（ステップＳ７０１）広告情報取得部１２０８は、カウンタｉに１をセットする。
【０１７４】
（ステップＳ７０２）広告情報取得部１２０８は、カウンタｊに１をセットする。
【０１７５】
（ステップＳ７０３）広告情報取得部１２０８は、ユーザ関連情報群［ｉ］から取得した統計的ユーザ関連情報であるユーザ関連情報［ｉ］が、広告管理情報［ｊ］が有する取得条件である取得条件［ｊ］に合致するか否かを判断する。合致する場合は、ステップＳ７０４に進み、そうでない場合は、ステップＳ７０５に進む。
【０１７６】
（ステップＳ７０４）広告情報取得部１２０８は、ユーザ管理情報群［ｉ］に対応する広告情報として、広告管理情報［ｊ］が有する広告情報である広告情報［ｊ］を取得する。
【０１７７】
（ステップＳ７０５）広告情報取得部１２０８は、ｊがｎであるか否かを判断する。ｎである場合は、ステップＳ７０７に進み、そうでない場合は、ステップＳ７０６に進む。
【０１７８】
（ステップＳ７０６）広告情報取得部１２０８は、ｊを１インクリメントする。そして、ステップＳ７０３に戻る。
【０１７９】
（ステップＳ７０７）広告情報取得部１２０８は、ｉがｍであるか否かを判断する。ｍである場合は、上位処理にリターンし、そうでない場合は、ステップＳ７０８に進む。
【０１８０】
（ステップＳ７０８）広告情報取得部１２０８は、ｉを１インクリメントする。そして、ステップＳ７０２に戻る。
【０１８１】
なお、２以上のユーザ関連情報に対応する広告情報を取得する場合のフローチャートは、図７のフローチャートにおいて、「統計的ユーザ関連情報［ｉ］」を「ユーザ関連情報［ｉ］」と読み替えたものである。
【０１８２】
図８は、図４のフローチャートのステップＳ４１４の送信先識別子の取得処理を示すフローチャートである。なお、図８のフローチャートにおいて、送信先識別子格納部１２０３には、ｍ個の送信先識別子が格納されているものとする。また、当該各送信先識別子には、表示装置位置情報が対応付いているものとする。
【０１８３】
（ステップＳ８０１）送信先識別子取得部１２０９は、カウンタｉに１をセットする。
【０１８４】
（ステップＳ８０２）送信先識別子取得部１２０９は、ユーザ関連情報群［ｉ］に対応付いている２以上の位置情報が同一であるか否かを判断する。同一である場合は、ステップＳ８０３に進み、そうでない場合は、ステップＳ８０４に進む。
【０１８５】
（ステップＳ８０３）送信先識別子取得部１２０９は、ユーザ関連情報群［ｉ］に対応付いている位置情報が、送信先識別子［ｉ］に対応付いている表示装置位置情報である表示装置位置情報［ｉ］と同一であるか否かを判断する。同一である場合は、ステップＳ８０６に進み、そうでない場合は、ステップＳ８０７に進む。
【０１８６】
（ステップＳ８０４）送信先識別子取得部１２０９は、ユーザ関連情報群［ｉ］に対応付いている２以上の各位置情報と、送信先識別子［ｉ］に対応付いている表示装置位置情報である表示装置位置情報［ｉ］とを用いて、当該２以上の各位置情報が示す位置と、当該表示装置位置情報［ｉ］が示す位置との距離を算出し、その合計を算出する。
【０１８７】
（ステップＳ８０５）送信先識別子取得部１２０９は、ステップＳ８０４で算出した距離の合計が距離条件を満たすか否かを判断する。満たす場合は、ステップＳ８０６に進み、そうでない場合は、ステップＳ８０７に進む。
【０１８８】
（ステップＳ８０６）送信先識別子取得部１２０９は、ユーザ関連情報群［ｉ］に対応する送信先識別子として、送信先識別子［ｉ］を取得する。
【０１８９】
（ステップＳ８０７）送信先識別子取得部１２０９は、ｉがｍであるか否かを判断する。ｍである場合は、上位処理にリターンし、そうでない場合は、ステップＳ８０８に進む。
【０１９０】
（ステップＳ８０８）送信先識別子取得部１２０９は、ｉを１インクリメントする。そして、ステップＳ８０２に戻る。
【０１９１】
次に、表示装置１３の全体動作について、図９のフローチャートを用いて説明する。
【０１９２】
（ステップＳ９０１）送信部１３０４は、受信部１３０２がユーザ関連情報を端末装置１１から受信したか否かを判断する。受信した場合は、ステップＳ９０２に進み、そうでない場合は、ステップＳ９０８に進む。
【０１９３】
（ステップＳ９０２）送信部１３０４は、表示装置識別子格納部１３０１に表示装置識別子が格納されているか否かを判断する。格納されている場合は、ステップＳ９０３に進み、そうでない場合は、ステップＳ９０４に進む。
【０１９４】
（ステップＳ９０３）送信部１３０４は、ステップＳ９０１で受信したユーザ関連情報と、表示装置識別子格納部１３０１に格納されている表示装置識別子とを対応付けて、サーバ装置１２に送信する。そして、ステップＳ９０８に進む。
【０１９５】
（ステップＳ９０４）送信部１３０４は、表示装置識別子格納部１３０１に表示装置位置情報が格納されているか否かを判断する。格納されている場合は、ステップＳ９０５に進み、そうでない場合は、ステップＳ９０６に進む。
【０１９６】
（ステップＳ９０５）送信部１３０４は、ステップＳ９０１で受信したユーザ関連情報と、表示装置識別子格納部１３０１に格納されている表示装置位置情報とを対応付けて、サーバ装置１２に送信する。そして、ステップＳ９０８に進む。
【０１９７】
（ステップＳ９０６）送信部１３０４は、ステップＳ９０１で受信したユーザ関連情報に端末位置情報が対応付いているか否かを判断する。対応付いている場合は、ステップＳ９０７に進み、そうでない場合は、ステップＳ９０８に進む。
【０１９８】
（ステップＳ９０７）送信部１３０４は、ステップＳ９０６で受信したユーザ関連情報と端末位置情報とを、サーバ装置１２に送信する。
【０１９９】
（ステップＳ９０８）出力部１３０３は、受信部１３０２が広告情報をサーバ装置１２から受信したか否かを判断する。受信した場合は、ステップＳ９０９に進み、そうでない場合は、ステップＳ９０１に戻る。
【０２００】
（ステップＳ９０９）出力部１３０３は、ステップＳ９０８で受信した広告情報を出力する。
【０２０１】
（ステップＳ９１０）送信部１３０４は、出力部１３０３が出力している広告情報に位置特定情報が対応付いているか否かを判断する。対応付いている場合は、ステップＳ９１１に進み、そうでない場合は、ステップＳ９０１に戻る。
【０２０２】
（ステップＳ９１１）送信部１３０４は、出力部１３０３が出力している広告情報に対応付いている位置特定情報を、端末装置１１に送信する。
【０２０３】
なお、図９のフローチャートにおいて、電源オフや処理終了の割り込みにより処理を終了してもよい。
【０２０４】
（具体例）
次に、広告表示システム１の動作の具体例について説明する。なお、本具体例において、端末装置１１は、いわゆるスマートフォンであるものとする。また、サーバ装置１２は、広告管理情報が蓄積されているサーバ（以下、サーバ）であるものとする。また、表示装置１３は、いわゆるサイネージディスプレイ（以下、ディスプレイ）であるものとする。また、１以上のスマートフォンや、当該各スマートフォンを操作するユーザ、１以上の各ディスプレイなどを、適宜、スマートフォンＡや、スマートフォンＢ、ユーザＡ、ユーザＢ、ディスプレイＡ、ディスプレイＢなどと表現するものとする。また、広告管理情報格納部１２０１には、図１０に示す広告管理情報が格納されているものとする。当該広告管理情報は、レコードを一意に特定するためのＩＤと、取得条件と、広告情報（項目名：広告）とを有する。
【０２０５】
（例１）
本例において、サーバ装置１２が、表示装置１３からユーザ関連情報と表示装置識別子とを受信し、広告情報と送信先識別子とを取得する例について説明する。なお、本例において、ディスプレイＡの表示装置識別子格納部１３０１には、表示装置識別子であるＩＰアドレス「２０４．２４．１２３．１２」が予め格納されているものとする。
【０２０６】
まず、ユーザＡが、自身が所有するスマートフォンＡを操作し、自身の目の前に位置するディスプレイＡに、ユーザ関連情報を送信するための操作を行ったとする。当該操作は、例えば、スマートフォンの画面に表示されているユーザ関連情報の送信ボタンをタップすることや、スマートフォンをディスプレイに近づける（かざす）ことなどである。すると、端末送信部１１０４は、端末ユーザ関連情報格納部１１０１に格納されている１以上のユーザ関連情報を取得し、当該１以上のユーザ関連情報を、ディスプレイＡに送信する。ここで、当該１以上のユーザ関連情報は、「（キーワード＝函館，朝市，・・・），（性別＝女），（趣味＝旅行，・・・）」であるものとする。当該ユーザ関連情報は、入力情報であるキーワードが「函館」、「朝市」、「その他１以上のキーワード」であり、性別が「女」であり、趣味が「旅行」、「その他１以上の趣味」であることを示す。
【０２０７】
次に、ディスプレイＡの受信部１３０２は、上記のユーザ関連情報を受信する。そして、送信部１３０４は、当該ユーザ関連情報を、表示装置識別子格納部１３０１に格納されているＩＰアドレス「２０４．２４．１２３．１２」と対応付けて、サーバに送信する。
【０２０８】
次に、サーバのサーバ受信部１２０４は、上記のユーザ関連情報とＩＰアドレスとを受信する。そして、ユーザ関連情報蓄積部１２０５は、当該受信したユーザ関連情報を、ユーザ関連情報格納部１２０２に蓄積する。また、送信先識別子蓄積部１２０６は、当該受信したＩＰアドレスを、送信先識別子格納部１２０３に蓄積する。
【０２０９】
また、例えば、上記ユーザＡと同様に、ユーザＢが、自身が所有するスマートフォンＢを操作し、ディスプレイＡに１以上のユーザ関連情報を送信したとする。当該１以上のユーザ関連情報は、「（キーワード＝函館，夜景，・・・），（性別＝女），（趣味＝ドライブ，・・・）」であるものとする。当該ユーザ関連情報の説明は、上記と同様であるので、省略する。すると、ディスプレイＡの受信部１３０２は、当該ユーザ関連情報を受信する。そして、送信部１３０４は、上記と同様に、当該ユーザ関連情報を、ＩＰアドレス「２０４．２４．１２３．１２」と対応付けて、サーバに送信する。そして、サーバのサーバ受信部１２０４は、当該ユーザ関連情報とＩＰアドレスとを受信する。そして、ユーザ関連情報蓄積部１２０５は、当該受信したユーザ関連情報を、ユーザ関連情報格納部１２０２に蓄積する。また、送信先識別子蓄積部１２０６は、当該受信したＩＰアドレスを、送信先識別子格納部１２０３に蓄積する。
【０２１０】
また、例えば、上記ユーザＡと同様に、ユーザＣが、自身が所有するスマートフォンＣを操作し、ディスプレイＡに１以上のユーザ関連情報を送信したとする。当該１以上のユーザ関連情報は、「（キーワード＝ゴルフコース，人気），（性別＝男），（趣味＝ゴルフ，・・・）」であるものとする。すると、ディスプレイＡの受信部１３０２は、当該ユーザ関連情報を受信する。そして、送信部１３０４は、上記と同様に、当該ユーザ関連情報を、ＩＰアドレス「２０４．２４．１２３．１２」と対応付けて、サーバに送信する。そして、サーバのサーバ受信部１２０４は、当該ユーザ関連情報とＩＰアドレスとを受信する。そして、ユーザ関連情報蓄積部１２０５は、当該受信したユーザ関連情報を、ユーザ関連情報格納部１２０２に蓄積する。また、送信先識別子蓄積部１２０６は、当該受信したＩＰアドレスを、送信先識別子格納部１２０３に蓄積する。
【０２１１】
上記の様にして、ユーザ関連情報格納部１２０２に格納されたユーザ関連情報は、例えば、図１１である。また、同様に、送信先識別子格納部１２０３に格納された送信先識別子は、例えば、図１２である。図１１において、ユーザ関連情報には、レコードを一意に特定するためのＩＤと、ＩＰアドレスと、日時情報（項目名：日時）とが対応付いている。また、図１１において、ＩＰアドレスは、図１２のＩＤである。つまり、図１１のユーザ関連情報と図１２の送信先識別子とは、図１２のＩＤにより対応付けられている。また、図１１において、日時情報は、スマートフォンからディスプレイにユーザ関連情報が送信された日時である送信日時を示す。
【０２１２】
また、次に、例えば、広告情報を取得するタイミングになったとする。すると、広告情報取得部１２０８は、広告情報を取得するタイミングであると判断する。そして、ユーザ関連情報取得部１２０７は、図１１のユーザ関連情報から、選択条件に合致するユーザ関連情報である１以上の選択ユーザ関連情報を取得する。
【０２１３】
ここで、選択条件が「経過時間≦５分」であるとする。当該選択条件は、送信日時から現在日時までの経過時間が、５分以内であることを意味する。また、現在日時が「２０１３／０２／１８  １１：０５：００」であるとする。すると、ユーザ関連情報取得部１２０７は、現在日時までの経過時間が５分以内である図１１の「ＩＤ＝０１１」から「ＩＤ＝０２０」までのユーザ関連情報を、選択ユーザ関連情報として取得する。
【０２１４】
次に、ユーザ関連情報取得部１２０７は、同一のＩＰアドレスが対応付いている２以上のユーザ関連情報の集合であるユーザ関連情報群を、選択ユーザ関連情報から取得する。図１１において、「ＩＤ＝０１１」から「ＩＤ＝０１３」まで、「ＩＤ＝０１６」から「ＩＤ＝０１８」までのユーザ関連情報には、同一のＩＰアドレスのＩＤ「０１２」が対応付いている。従って、ユーザ関連情報取得部１２０７は、当該６個のユーザ関連情報を、ユーザ関連情報群として取得する。また、同様に、ユーザ関連情報取得部１２０７は、図１１の「ＩＤ＝０１３」、「ＩＤ＝０１４」、「ＩＤ＝０１９」、「ＩＤ＝０２０」の４個のユーザ関連情報を、ユーザ関連情報群として取得する。なお、以下、先に取得したユーザ関連情報群を、ユーザ関連情報群Ａ、後に取得したユーザ関連情報群を、ユーザ関連情報Ｂとする。
【０２１５】
次に、ユーザ関連情報取得部１２０７は、取得した２個のユーザ関連情報群から、統計的ユーザ関連情報を取得する。ここで、統計的ユーザ関連情報として、最多のキーワードを取得すると予め決められているとする。すると、ユーザ関連情報取得部１２０７は、図１１より、ユーザ関連情報群Ａから、最多のキーワード「函館」を取得する。また、ユーザ関連情報取得部１２０７は、図１１より、ユーザ関連情報群Ｂからは、何も取得しない。これは、どのキーワードの数も同一（１個）だからである。
【０２１６】
次に、広告情報取得部１２０８は、ユーザ関連情報群Ａに対応する最多のキーワード「函館」が、図１０の「ＩＤ＝０１３」の取得条件「（最多（キーワード）＝（函館ｏｒ札幌））」に合致すると判断する。当該取得条件は、最多のキーワードが「函館」または「札幌」であることを意味する。そして、広告情報取得部１２０８は、ユーザ関連情報群Ａに対応する広告情報として、図１０の「ＩＤ＝０１３」の広告情報「Ａｄｓ０３．ｊｐｇ」を取得する。当該広告情報は、画像である。
【０２１７】
次に、送信先識別子取得部１２０９は、ユーザ関連情報群Ａに対応付いているＩＰアドレスである図１２の「ＩＤ＝０１２」のＩＰアドレス「２０４．２４．１２３．１２」を取得する。
【０２１８】
次に、サーバ送信部１２１０は、取得したＩＰアドレス「２０４．２４．１２３．１２」で識別されるディスプレイ（通常、ディスプレイＡ）に、取得した画像「Ａｄｓ０３．ｊｐｇ」を送信する。
【０２１９】
（例２）
本例において、サーバ装置１２が、表示装置１３からユーザ関連情報と表示装置位置情報とを受信し、広告情報と送信先識別子とを取得する例について説明する。なお、本例において、ディスプレイＡの表示装置識別子格納部１３０１には、表示装置位置情報「（Ｎ３５．２２３３，Ｅ１３４．１１２２）」が予め格納されているものとする。また、サーバの送信先識別子格納部１２０３には、図１３に示す送信先識別子が予め格納されているものとする。当該送信先識別子（項目名：ＩＰアドレス）には、レコードを一意に特定するためのＩＤと、ディスプレイの名称と、表示装置位置情報（項目名：位置）とが対応付いている。
【０２２０】
まず、例１と同様に、ユーザＡが、自身が所有するスマートフォンＡを操作し、ディスプレイＡに１以上のユーザ関連情報を送信したとする。当該１以上のユーザ関連情報は、「（キーワード＝函館，朝市，・・・），（性別＝女），（趣味＝旅行，・・・）」であるものとする。すると、ディスプレイＡの受信部１３０２は、当該ユーザ関連情報を受信する。そして、送信部１３０４は、当該ユーザ関連情報を、表示装置識別子格納部１３０１に格納されている表示装置位置情報「（Ｎ３５．２２３３，Ｅ１３４．１１２２）」と対応付けて、サーバに送信する。そして、サーバのサーバ受信部１２０４は、当該ユーザ関連情報と表示装置位置情報とを受信する。そして、ユーザ関連情報蓄積部１２０５は、当該受信したユーザ関連情報を、当該ユーザ関連情報に対応付いている表示装置位置情報と共に、ユーザ関連情報格納部１２０２に蓄積する。
【０２２１】
また、例えば、上記ユーザＡと同様に、ユーザＢが、自身が所有するスマートフォンＢを操作し、ディスプレイＡに１以上のユーザ関連情報を送信したとする。当該１以上のユーザ関連情報は、「（キーワード＝函館，夜景，・・・），（性別＝女），（趣味＝ドライブ，・・・）」であるものとする。すると、ディスプレイＡの受信部１３０２は、当該ユーザ関連情報を受信する。そして、送信部１３０４は、当該ユーザ関連情報を、表示装置識別子格納部１３０１に格納されている表示装置位置情報「（Ｎ３５．２２３３，Ｅ１３４．１１２２）」と対応付けて、サーバに送信する。そして、サーバのサーバ受信部１２０４は、当該ユーザ関連情報と表示装置位置情報とを受信する。そして、ユーザ関連情報蓄積部１２０５は、当該受信したユーザ関連情報を、当該ユーザ関連情報に対応付いている表示装置位置情報と共に、ユーザ関連情報格納部１２０２に蓄積する。
【０２２２】
また、例えば、上記ユーザＡと同様に、ユーザＣが、自身が所有するスマートフォンＣを操作し、ディスプレイＡに１以上のユーザ関連情報を送信したとする。当該１以上のユーザ関連情報は、「（キーワード＝ゴルフコース，人気），（性別＝男），（趣味＝ゴルフ，・・・）」であるものとする。すると、ディスプレイＡの受信部１３０２は、当該ユーザ関連情報を受信する。そして、送信部１３０４は、当該ユーザ関連情報を、表示装置識別子格納部１３０１に格納されている表示装置位置情報「（Ｎ３５．２２３３，Ｅ１３４．１１２２）」と対応付けて、サーバに送信する。そして、サーバのサーバ受信部１２０４は、当該ユーザ関連情報と表示装置位置情報とを受信する。そして、ユーザ関連情報蓄積部１２０５は、当該受信したユーザ関連情報を、当該ユーザ関連情報に対応付いている表示装置位置情報と共に、ユーザ関連情報格納部１２０２に蓄積する。
【０２２３】
上記の様にして、ユーザ関連情報格納部１２０２に格納されたユーザ関連情報は、例えば、図１４である。図１４において、ユーザ関連情報には、レコードを一意に特定するためのＩＤと、表示装置位置情報（項目名：位置）と、日時情報（項目名：日時）とが対応付いている。また、図１４において、日時情報は、スマートフォンからディスプレイにユーザ関連情報が送信された日時である送信日時を示す。
【０２２４】
また、次に、例えば、広告情報を取得するタイミングになったとする。すると、広告情報取得部１２０８は、広告情報を取得するタイミングであると判断する。そして、ユーザ関連情報取得部１２０７は、図１４のユーザ関連情報から、例１と同様に、図１４の「ＩＤ＝０１１」から「ＩＤ＝０２０」までのユーザ関連情報を、選択ユーザ関連情報として取得する。
【０２２５】
次に、ユーザ関連情報取得部１２０７は、同一の表示装置位置情報が対応付いている２以上のユーザ関連情報の集合であるユーザ関連情報群を、選択ユーザ関連情報から取得する。図１４において、「ＩＤ＝０１１」から「ＩＤ＝０１３」まで、「ＩＤ＝０１６」から「ＩＤ＝０１８」までのユーザ関連情報には、同一の表示装置位置情報「（Ｎ３５．２２３３，Ｅ１３４．１１２２）」が対応付いている。従って、ユーザ関連情報取得部１２０７は、当該６個のユーザ関連情報を、ユーザ関連情報群として取得する。また、同様に、ユーザ関連情報取得部１２０７は、図１４の「ＩＤ＝０１３」、「ＩＤ＝０１４」、「ＩＤ＝０１９」、「ＩＤ＝０２０」の４個のユーザ関連情報を、ユーザ関連情報群として取得する。なお、以下、先に取得したユーザ関連情報群を、ユーザ関連情報群Ａ、後に取得したユーザ関連情報群を、ユーザ関連情報Ｂとする。
【０２２６】
次に、ユーザ関連情報取得部１２０７は、取得した２個のユーザ関連情報群から、統計的ユーザ関連情報を取得する。そして、ユーザ関連情報取得部１２０７は、例１と同様に、ユーザ関連情報群Ａから、最多のキーワード「函館」を取得し、ユーザ関連情報Ｂからは、何も取得しない。
【０２２７】
次に、広告情報取得部１２０８は、例１と同様に、図１０の「ＩＤ＝０１３」の広告情報「Ａｄｓ０３．ｊｐｇ」を取得する。
【０２２８】
次に、送信先識別子取得部１２０９は、ユーザ関連情報群Ａに対応付いている表示装置位置情報「（Ｎ３５．２２３３，Ｅ１３４．１１２２）」と同一の表示装置位置情報が対応付いている図１３の「ＩＤ＝０１２」のＩＰアドレス「２０４．２４．１２３．１２」を取得する。
【０２２９】
次に、サーバ送信部１２１０は、取得したＩＰアドレス「２０４．２４．１２３．１２」で識別されるディスプレイ（通常、ディスプレイＡ）に、取得した画像「Ａｄｓ０３．ｊｐｇ」を送信する。
【０２３０】
（例３）
本例において、サーバ装置１２が、表示装置１３からユーザ関連情報と端末位置情報とを受信し、広告情報と送信先識別子とを取得する例について説明する。なお、本例において、サーバの送信先識別子格納部１２０３には、図１３に示す送信先識別子が予め格納されているものとする。
【０２３１】
まず、例１と同様に、ユーザＡが、自身が所有するスマートフォンＡを操作し、ディスプレイＡに１以上のユーザ関連情報を送信するための操作を行ったとする。また、このとき、端末位置情報取得部１１０２が取得した端末位置情報が「（Ｎ３５．２２４４，Ｅ１３４．１１１１）」であるとする。すると、端末送信部１１０４は、端末ユーザ関連情報格納部１１０１に格納されている１以上のユーザ関連情報を取得する。そして、端末送信部１１０４は、当該１以上のユーザ関連情報と、当該端末位置情報とを対応付けて、ディスプレイＡに送信する。なお、当該１以上のユーザ関連情報は、「（キーワード＝函館，朝市，・・・），（性別＝女），（趣味＝旅行，・・・）」であるものとする。すると、ディスプレイＡの受信部１３０２は、当該ユーザ関連情報と端末位置情報とを受信する。そして、送信部１３０４は、当該ユーザ関連情報を、対応付いている端末位置情報と共に、サーバに送信する。そして、サーバのサーバ受信部１２０４は、当該ユーザ関連情報と端末位置情報とを受信する。そして、ユーザ関連情報蓄積部１２０５は、当該受信したユーザ関連情報を、当該ユーザ関連情報に対応付いている端末位置情報と共に、ユーザ関連情報格納部１２０２に蓄積する。
【０２３２】
また、例えば、上記ユーザＡと同様に、ユーザＢが、自身が所有するスマートフォンＢを操作し、ディスプレイＡに１以上のユーザ関連情報と端末位置情報とを送信したとする。当該１以上のユーザ関連情報は、「（キーワード＝函館，夜景，・・・），（性別＝女），（趣味＝ドライブ，・・・）」であるものとする。また、当該端末位置情報は、「（Ｎ３５．２２３３，Ｅ１３４．１１１２）」であるものとする。すると、ディスプレイＡの受信部１３０２は、当該ユーザ関連情報と端末位置情報とを受信する。そして、送信部１３０４は、当該ユーザ関連情報を、対応付いている端末位置情報と共に、サーバに送信する。そして、サーバのサーバ受信部１２０４は、当該ユーザ関連情報と端末位置情報とを受信する。そして、ユーザ関連情報蓄積部１２０５は、当該受信したユーザ関連情報を、当該ユーザ関連情報に対応付いている端末位置情報と共に、ユーザ関連情報格納部１２０２に蓄積する。
【０２３３】
また、例えば、上記ユーザＡと同様に、ユーザＣが、自身が所有するスマートフォンＣを操作し、ディスプレイＡに１以上のユーザ関連情報と端末位置情報とを送信したとする。当該１以上のユーザ関連情報は、「（キーワード＝函館，夜景，・・・），（性別＝女），（趣味＝ドライブ，・・・）」であるものとする。また、当該端末位置情報は、「（Ｎ３５．２２２２，Ｅ１３４．１１１５）」であるものとする。すると、ディスプレイＡの受信部１３０２は、当該ユーザ関連情報と端末位置情報とを受信する。そして、送信部１３０４は、当該ユーザ関連情報を、対応付いている端末位置情報と共に、サーバに送信する。そして、サーバのサーバ受信部１２０４は、当該ユーザ関連情報と端末位置情報とを受信する。そして、ユーザ関連情報蓄積部１２０５は、当該受信したユーザ関連情報を、当該ユーザ関連情報に対応付いている端末位置情報と共に、ユーザ関連情報格納部１２０２に蓄積する。
【０２３４】
上記の様にして、ユーザ関連情報格納部１２０２に格納されたユーザ関連情報は、例えば、図１５である。図１５において、ユーザ関連情報には、レコードを一意に特定するためのＩＤと、端末位置情報（項目名：端末位置）と、日時情報（項目名：日時）とが対応付いている。また、図１５において、日時情報は、スマートフォンからディスプレイにユーザ関連情報が送信された日時である送信日時を示す。
【０２３５】
また、次に、例えば、広告情報を取得するタイミングになったとする。すると、広告情報取得部１２０８は、広告情報を取得するタイミングであると判断する。そして、ユーザ関連情報取得部１２０７は、図１５のユーザ関連情報から、例１と同様に、図１５の「ＩＤ＝０１１」から「ＩＤ＝０２０」までのユーザ関連情報を、選択ユーザ関連情報として取得する。
【０２３６】
次に、ユーザ関連情報取得部１２０７は、一の表示装置位置情報が示す位置との距離が距離条件を満たすほど近い２以上の各位置を示す端末位置情報が対応付いている２以上のユーザ関連情報の集合であるユーザ関連情報群を、選択ユーザ関連情報から取得する。
【０２３７】
例えば、ユーザ関連情報取得部１２０７は、まず、図１３の「ＩＤ＝０１１」の表示装置位置情報「（Ｎ３４．１１２２，Ｅ１３４．２２３３）」と、図１５の「ＩＤ＝０１１」の端末位置情報「（Ｎ３５．２２４４，Ｅ１３４．１１１１）」とを用いて、当該２つの位置情報が示す位置間の距離を算出する。そして、ユーザ関連情報取得部１２０７は、当該算出した距離が、距離条件を満たすか否かを判断し、満たす場合は、当該図１５の「ＩＤ＝０１１」のユーザ関連情報を、図１３の「ＩＤ＝０１１」の表示装置位置情報に対応するユーザ関連情報群として取得する。
【０２３８】
また、ユーザ関連情報取得部１２０７は、次に、図１３の「ＩＤ＝０１１」の表示装置位置情報「（Ｎ３４．１１２２，Ｅ１３４．２２３３）」と、図１５の「ＩＤ＝０１２」の端末位置情報「（Ｎ３５．２２３３，Ｅ１３４．１１１２）」とを用いて、上記と同様に距離を算出し、当該距離が距離条件を満たす場合は、当該図１５の「ＩＤ＝０１２」のユーザ関連情報を、図１３の「ＩＤ＝０１１」の表示装置位置情報に対応するユーザ関連情報群として取得する。
【０２３９】
また、図１３の「ＩＤ＝０１１」の表示装置位置情報と、図１５のすべての端末位置情報との距離の算出が終了し、当該表示装置位置情報に対応するユーザ関連情報群の取得が完了すれば、ユーザ関連情報取得部１２０７は、次に、図１３の「ＩＤ＝０１２」の表示装置位置情報「（Ｎ３５．２２３３，Ｅ１３４．１１２２）」と、図１５の「ＩＤ＝０１１」の端末位置情報「（Ｎ３５．２２４４，Ｅ１３４．１１１１）」とを用いて、上記と同様に距離を算出し、当該距離が距離条件を満たす場合は、当該図１５の「ＩＤ＝０１２」のユーザ関連情報を、図１３の「ＩＤ＝０１２」の表示装置位置情報に対応するユーザ関連情報群として取得する。
【０２４０】
以上の様にしてユーザ関連情報群を取得した結果、ユーザ関連情報取得部１２０７は、図１３の「ＩＤ＝０１２」に対応するユーザ関連情報群として、図１５の「ＩＤ＝０１１」から「ＩＤ＝０１３」まで、「ＩＤ＝０１６」から「ＩＤ＝０１８」までのユーザ関連情報を取得したものとする。また、同様に、ユーザ関連情報取得部１２０７は、図１３の「ＩＤ＝０１６」に対応するユーザ関連情報群として、図１５の「ＩＤ＝０１３」、「ＩＤ＝０１４」、「ＩＤ＝０１９」、「ＩＤ＝０２０」の４個のユーザ関連情報を取得したものとする。なお、以下、先に取得したユーザ関連情報群を、ユーザ関連情報群Ａ、後に取得したユーザ関連情報群を、ユーザ関連情報Ｂとする。
【０２４１】
次に、ユーザ関連情報取得部１２０７は、取得した２個のユーザ関連情報群から、統計的ユーザ関連情報を取得する。そして、ユーザ関連情報取得部１２０７は、例１と同様に、ユーザ関連情報群Ａから、最多のキーワード「函館」を取得し、ユーザ関連情報Ｂからは、何も取得しない。
【０２４２】
次に、広告情報取得部１２０８は、例１と同様に、図１０の「ＩＤ＝０１３」の広告情報「Ａｄｓ０３．ｊｐｇ」を取得する。
【０２４３】
次に、送信先識別子取得部１２０９は、ユーザ関連情報群Ａに対応付いている表示装置位置情報「（Ｎ３５．２２３３，Ｅ１３４．１１２２）」と同一の表示装置位置情報が対応付いている図１３の「ＩＤ＝０１２」のＩＰアドレス「２０４．２４．１２３．１２」を取得する。
【０２４４】
また、このとき、送信先識別子取得部１２０９は、例えば、ユーザ関連情報群Ａが有する６個の各ユーザ関連情報に対応付いている端末位置情報と、図１３の「ＩＤ＝０１１」の表示装置位置情報とを用いて、合計６個の距離を算出し、当該距離の合計を算出してもよい。そして、当該距離の合計が距離条件を満たす場合、送信先識別子取得部１２０９は、図１３の「ＩＤ＝０１１」のＩＰアドレスを、ユーザ関連情報群Ａに対応する送信先識別子として取得する。
【０２４５】
次に、サーバ送信部１２１０は、取得したＩＰアドレス「２０４．２４．１２３．１２」で識別されるディスプレイ（通常、ディスプレイＡ）に、取得した画像「Ａｄｓ０３．ｊｐｇ」を送信する。
【０２４６】
（例４）
本例において、表示装置１３が、サーバ装置１２から受信した広告情報を出力する例について説明する。
【０２４７】
まず、ディスプレイの受信部１３０２が、図１０の「ＩＤ＝０１６」の広告情報「Ａｄｓ０６．ｍｐｇ」を受信したとする。当該広告情報は、映像である。すると、出力部１３０３は、当該映像を再生し、画面出力および音出力する。このときの様子は、例えば、図１６である。
【０２４８】
（例５）
本例において、端末装置１１が、表示装置１３から受信した位置特定情報を用いて経路探索を行う例について説明する。
【０２４９】
まず、地図上の「Ａ地点」にディスプレイが存在し、当該ディスプレイの受信部１３０２が図１０の「ＩＤ＝０１６」の広告情報「Ａｄｓ０６．ｍｐｇ」を受信し、出力部１３０３が、当該広告情報を出力しているとする。また、当該広告情報は、地図上の「Ｃ地点」の位置を示す位置情報である位置特定情報が対応付いているとする。また、このとき、スマートフォンを所持するユーザが、当該ディスプレイの直前に居るとする。
【０２５０】
次に、ディスプレイの送信部１３０４は、出力部１３０３が出力している広告情報に対応付いている位置特定情報を、上記のスマートフォンに送信する。すると、スマートフォンの端末受信部１１０５は、当該位置特定情報を受信する。
【０２５１】
次に、端末位置情報取得部１１０２は、「Ａ地点」の位置を示す端末位置情報を取得する。そして、経路探索部１１０６は、「Ａ地点」の位置を示す端末位置情報と、「Ｃ地点」の位置を示す位置特定情報とを用いて、「Ａ地点」から「Ｃ地点」までの経路を探索する。そして、経路探索部１１０６は、当該経路を示す経路情報を取得する。
【０２５２】
次に、端末出力部１１０７は、経路探索部１１０６が取得した経路情報を画面出力する。このときの様子は、例えば、図１７である。
【０２５３】
以上、本実施の形態による広告表示システム１によれば、表示装置の近くにいる複数のユーザが端末装置に入力した用語や、当該複数のユーザの属性などに適合する適切な広告を、自動的に表示することができる。これにより、特定の場所や、特定の性別、特定の年齢層などにターゲットを絞った広告を、当該ターゲットに適合するユーザに効果的かつ適切に表示することができる。
【０２５４】
また、本実施の形態による広告表示システム１によれば、表示装置に表示されている広告に関連する場所までの経路案内を行うことができる。
【０２５５】
（実施の形態２）
本実施の形態において、端末装置２１と、サーバ装置２２と、表示装置２３とを備える広告表示システム２について説明する。端末装置２１は、サーバ装置２２に、ユーザ関連情報と、自身の位置を示す端末位置情報とを送信する。サーバ装置２２は、受信した２以上のユーザ関連情報に関する統計的ユーザ関連情報を取得し、当該統計的ユーザ関連情報に対応する広告情報と、受信した端末位置情報が示す位置の近くに存在する表示装置２３を識別する表示装置識別子とを取得する。そして、サーバ装置２２は、取得した表示装置識別子により識別される表示装置２３に、取得した広告情報を送信する。表示装置２３は、受信した広告情報を出力する。
【０２５６】
図１８は、本実施の形態における広告表示システム２の概念図である。図１８において、端末装置２１と、サーバ装置２２と、表示装置２３とは、ネットワーク２４を介して接続されている。ネットワーク２４は、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、端末装置２１は、例えば、いわゆるスマートフォンやフィーチャーフォンなどの携帯電話や、タブレット型のパソコン、ＰＤＡなどである。また、当該端末装置２１は、通常、２以上である。また、当該２以上の各端末装置２１は、通常、異なるユーザ（人）が所持している。また、表示装置２３は、通常、いわゆるサイネージディスプレイである。また、表示装置２３は、通常、２以上である。
【０２５７】
また、端末装置２１のブロック図は、図２の端末装置１１のブロック図と同様であり、図２の端末送信部１１０４を端末送信部２１０４と読み替えたものである。また、サーバ装置２２のブロック図は、図２のサーバ装置１２のブロック図と同様であり、図２の送信先識別子蓄積部１２０６がなく、サーバ受信部１２０４をサーバ受信部２２０４と、ユーザ関連情報取得部１２０７をユーザ関連情報取得部２２０７と、送信先識別子取得部１２０９を送信先識別子取得部２２０９と読み替えたものである。また、表示装置２３のブロック図は、図２のブロック図と同様であり、図２の表示装置識別子格納部１３０１がなく、受信部１３０２を受信部２３０２と、送信部１３０４を送信部２３０４と読み替えたものである。
【０２５８】
端末送信部２１０４は、ユーザ関連情報と端末位置情報とを送信する。当該ユーザ関連情報は、端末ユーザ関連情報格納部１１０１に格納されているユーザ関連情報である。また、当該端末位置情報は、端末位置情報取得部１１０２が取得した端末位置情報である。また、この場合、端末送信部２１０４は、通常、ユーザ関連情報と端末位置情報とを対応付けて送信する。つまり、端末送信部２１０４は、ユーザ関連情報と端末位置情報とを、同時に送信する。また、本実施の形態において、端末送信部２１０４は、通常、サーバ装置２２に、ユーザ関連情報と端末位置情報とを送信する。
【０２５９】
サーバ受信部２２０４は、ユーザ関連情報と端末位置情報とを、端末装置２１から受信する。当該ユーザ関連情報は、通常、異なる２以上のユーザのユーザ関連情報である。つまり、例えば、サーバ受信部２２０４がユーザ関連情報と端末位置情報とが対応付いた情報を２つ受信したとする。この場合、当該２つのユーザ関連情報は、通常、異なる２人のユーザ関連情報である。
【０２６０】
ユーザ関連情報取得部２２０７は、２以上のユーザ関連情報を用いて、統計的ユーザ関連情報を取得する。当該２以上のユーザ関連情報は、ユーザ関連情報格納部１２０２に格納されているユーザ関連情報である。
【０２６１】
また、本実施の形態において、送信先識別子格納部１２０３には、通常、予め、表示装置位置情報が対応付いた１以上の送信先識別子が格納されている。また、サーバ受信部２２０４は、通常、ユーザ関連情報と端末位置情報とを受信する。また、ユーザ関連情報格納部１２０２には、通常、端末位置情報が対応付いた２以上のユーザ関連情報が格納される。従って、ユーザ関連情報取得部２２０７は、通常、ユーザ関連情報取得部１２０７における（３）の方法にて、ユーザ関連情報格納部１２０２から２以上のユーザ関連情報を取得する。そして、ユーザ関連情報取得部２２０７は、当該取得した２以上のユーザ関連情報を用いて、当該２以上のユーザ関連情報に対する統計的ユーザ関連情報を取得する。
【０２６２】
なお、ユーザ関連情報取得部２２０７における統計的ユーザ関連情報の取得の方法や手順などは、２以上のユーザ関連情報の取得の方法以外は、ユーザ関連情報取得部１２０７における統計的ユーザ関連情報の取得の方法や手順などと同様であるので、説明を省略する。
【０２６３】
送信先識別子取得部１２０９は、送信先識別子を、送信先識別子格納部１２０３から取得する。通常、予め決められた条件を満たすほど端末装置１１の近くに存在する表示装置１３を識別する送信先識別子である。当該送信先識別子は、言い換えると、端末装置１１がユーザ関連情報を送信した際の位置の近くに存在する表示装置１３を識別する送信先識別子である。また、送信先識別子取得部１２０９は、通常、ユーザ関連情報取得部１２０７が２以上のユーザ関連情報を取得した方法（統計的ユーザ関連情報を取得するために、どのような方法で２以上のユーザ関連情報をユーザ関連情報格納部１２０２から取得したか）に応じて、送信先識別子を取得する。
【０２６４】
本実施の形態において、ユーザ関連情報取得部２２０７は、通常、一の表示装置位置情報に対応する２以上のユーザ関連情報を取得する。従って、送信先識別子取得部１２０９は、通常、送信先識別子取得部１２０９における（３）の方法にて、送信先識別子格納部１２０３から送信先識別子を取得する。
【０２６５】
受信部２３０２は、広告情報を、サーバ装置２２から受信する。当該広告情報には、１以上の位置特定情報が対応付いていてもよい。
【０２６６】
送信部２３０４は、位置特定情報を、端末装置２１に送信する。送信部２３０４は、通常、受信部２３０２が広告情報を受信した場合、かつ、当該受信した広告情報に位置特定情報が対応付いている場合に、当該位置特定情報を端末装置２１に送信する。
【０２６７】
なお、端末送信部２１０４、送信部２３０４は、通常、無線または有線の通信手段で実現されるが、放送手段で実現されてもよい。
【０２６８】
また、サーバ受信部２２０４、受信部２３０２は、通常、無線または有線の通信手段で実現されるが、放送を受信する手段で実現されてもよい。
【０２６９】
また、ユーザ関連情報取得部２２０７、送信先識別子取得部２２０９は、通常、ＭＰＵやメモリ等から実現され得る。また、送信先識別子取得部２２０９などの処理手順は、通常、ソフトウェアで実現され、当該ソフトウェアはＲＯＭ等の記録媒体に記録されている。なお、送信先識別子取得部２２０９などは、ハードウェア（専用回路）で実現されてもよい。
【０２７０】
次に、広告表示システム２の全体動作について、フローチャートを用いて説明する。なお、予め決められた情報におけるｉ番目の情報は、「情報［ｉ］」と記載するものとする。まず、端末装置２１の全体動作について、図１９のフローチャートを用いて説明する。なお、図１９のフローチャートにおいて、ステップＳ１９０８からステップＳ１９１３までの各処理は、図３のフローチャートのステップＳ３１０からステップＳ３１５までの各処理と同様であるので、説明を省略する。
【０２７１】
（ステップＳ１９０１）端末装置２１は、端末受付部１１０３が電源ＯＮの指示を受け付けたか否かを判断する。受け付けた場合は、ステップＳ１９０２に進み、そうでない場合は、ステップＳ１９０１に戻る。
【０２７２】
（ステップＳ１９０２）端末装置２１は、電源ＯＮの処理を行う。
【０２７３】
（ステップＳ１９０３）端末位置情報取得部１１０２は、端末位置情報の取得を開始する。以降、端末位置情報取得部１１０２は、通常、端末装置２１の電源がＯＦＦになるまで、端末位置情報を定期的に取得し続ける。
【０２７４】
（ステップＳ１９０４）図示しない端末蓄積部は、端末受付部１１０３が入力情報を受け付けたか否かを判断する。受け付けた場合は、ステップＳ１９０５に進み、そうでない場合は、ステップＳ１９０６に進む。
【０２７５】
（ステップＳ１９０５）図示しない端末蓄積部は、ステップＳ１９０４で受け付けた入力情報を、端末ユーザ関連情報格納部１１０１に蓄積する。
【０２７６】
（ステップＳ１９０６）端末送信部２１０４は、ユーザ関連情報の送信のタイミングであるか否かを判断する。例えば、ユーザ関連情報の送信は、端末受付部１１０３がユーザ関連情報を送信する指示であるユーザ関連情報送信指示を受け付けた場合に行うと予め決められている場合、端末送信部２１０４は、端末受付部１１０３がユーザ関連情報送信指示を受け付けたか否かを判断する。そして、送信のタイミングである場合は、ステップＳ１９０７に進み、そうでない場合は、ステップＳ１９０８に進む。
【０２７７】
（ステップＳ１９０７）図示しない端末ユーザ関連情報取得部は、端末ユーザ関連情報格納部１１０１から予め決められた条件に合致する１以上のユーザ関連情報を取得する。そして、端末送信部２１０４は、当該取得した１以上のユーザ関連情報と、端末位置情報取得部１１０２が取得した端末位置情報とを対応付け、表示装置２３に送信する。
【０２７８】
なお、図１９のフローチャートにおいて、電源オフや処理終了の割り込みにより処理を終了してもよい。
【０２７９】
次に、サーバ装置２２の全体動作について、図２０のフローチャートを用いて説明する。
【０２８０】
（ステップＳ２００１）ユーザ関連情報蓄積部１２０５は、サーバ受信部２２０４がユーザ関連情報と端末位置情報とを表示装置２３から受信したか否かを判断する。受信した場合は、ステップＳ２００２に進み、そうでない場合は、ステップＳ２００１に戻る。
【０２８１】
（ステップＳ２００２）ユーザ関連情報蓄積部１２０５は、ステップＳ２００１で受信したユーザ関連情報を、当該ユーザ関連情報に対応付いている端末位置情報と共にユーザ関連情報格納部１２０２に蓄積する。
【０２８２】
（ステップＳ２００３）ユーザ関連情報取得部２２０７は、ユーザ関連情報の取得のタイミングであるか否かを判断する。取得のタイミングである場合は、ステップＳ２００４に進み、そうでない場合は、ステップＳ２００１に戻る。
【０２８３】
（ステップＳ２００４）ユーザ関連情報取得部２２０７は、ユーザ関連情報格納部１２０２から、１以上のユーザ関連情報群を取得する。この処理の詳細は、図５のフローチャートを用いて説明済みであるので、説明を省略する。なお、ここで、ユーザ関連情報取得部２２０７は、ｍ個のユーザ関連情報群を取得したものとする。
【０２８４】
（ステップＳ２００５）ユーザ関連情報取得部２２０７は、ステップＳ２００４で取得したｍ個の各ユーザ関連情報群から、統計的ユーザ関連情報を取得する。
【０２８５】
（ステップＳ２００６）広告情報取得部１２０８は、ステップＳ２００４で取得したｍ個の各ユーザ関連情報群に対応する広告情報を、ステップＳ２００５で取得した統計的ユーザ関連情報を用いて取得する。この処理の詳細は、図７のフローチャートを用いて説明済みであるので、説明を省略する。
【０２８６】
（ステップＳ２００７）送信先識別子取得部２２０９は、カウンタｉに１をセットする。
【０２８７】
（ステップＳ２００８）送信先識別子取得部２２０９は、ユーザ関連情報群［ｉ］に対応する送信先識別子を、対応付いている位置情報を用いて送信先識別子格納部１２０３から取得する。この処理の詳細は、図８のフローチャートを用いて説明済みであるので、説明を省略する。
【０２８８】
（ステップＳ２００９）サーバ送信部１２１０は、ステップＳ２００６で取得したユーザ関連情報群［ｉ］に対応する広告情報である広告情報［ｉ］を、ステップＳ２００８で取得した送信先識別子により識別される表示装置２３に送信する。
【０２８９】
（ステップＳ２０１０）送信先識別子取得部２２０９は、ｉがｍであるか否かを判断する。ｍである場合は、ステップＳ２００１に戻り、そうでない場合は、ステップＳ２０１１に進む。
【０２９０】
（ステップＳ２０１１）送信先識別子取得部２２０９は、ｉを１インクリメントする。そして、ステップＳ２００８に戻る。
【０２９１】
なお、図２０のフローチャートにおいて、電源オフや処理終了の割り込みにより処理を終了してもよい。
【０２９２】
次に、表示装置２３の全体動作について、図２１のフローチャートを用いて説明する。
【０２９３】
（ステップＳ２１０１）送信部２３０４は、受信部２３０２が広告情報をサーバ装置２２から受信したか否かを判断する。受信した場合は、ステップＳ２１０２に進み、そうでない場合は、ステップＳ２１０１に戻る。
【０２９４】
（ステップＳ２１０２）出力部１３０３は、ステップＳ２１０１で受信した広告情報を出力する。
【０２９５】
（ステップＳ２１０３）送信部２３０４は、出力部１３０３が出力している広告情報に位置特定情報が対応付いているか否かを判断する。対応付いている場合は、ステップＳ２１０４に進み、そうでない場合は、ステップＳ２１０１に戻る。
【０２９６】
（ステップＳ２１０４）送信部２３０４は、出力部１３０３が出力している広告情報に対応付いている位置特定情報を、端末装置２１に送信する。
【０２９７】
なお、図２１のフローチャートにおいて、電源オフや処理終了の割り込みにより処理を終了してもよい。
【０２９８】
（具体例）
広告表示システム２の動作の具体例は、以下の事項以外は実施の形態１の具体例と同様であるので、説明を省略する。
（１）端末装置２１がサーバ装置２２にユーザ関連情報と端末位置情報とを送信すること
（２）サーバ装置２２が端末装置２１からユーザ関連情報と端末位置情報とを受信すること
（３）表示装置２３が端末装置２１からユーザ関連情報を受信しないこと
（４）表示装置２３が表示装置識別子を保持していないこと
【０２９９】
以上、本実施の形態による広告表示システム２によれば、表示装置の近くにいるユーザが端末装置に入力した用語や、当該ユーザの属性などに適合する適切な広告を、自動的に表示することができる。これにより、特定の場所や、特定の性別、特定の年齢層などにターゲットを絞った広告を、当該ターゲットに適合するユーザに効果的かつ適切に表示することができる。
【０３００】
また、本実施の形態による広告表示システム２によれば、表示装置に表示されている広告に関連する場所までの経路案内を行うことができる。
【０３０１】
また、上記実施の形態１において、広告表示システム１は、例えば、表示装置１３において、２以上のユーザ関連情報または統計的ユーザ関連情報を取得してもよい。この場合、表示装置１３は、２以上のユーザ関連情報または統計的ユーザ関連情報をサーバ装置１２に送信し、サーバ装置１２から、当該情報に対応する広告情報を受信する。この場合のサーバ装置１２および表示装置１３は、図２２のブロック図に示すサーバ装置３２および表示装置３３である。図２２において、サーバ装置３２は、広告管理情報格納部３２０１、送信先識別子格納部３２０２、サーバ受信部３２０３、送信先識別子蓄積部３２０４、広告情報取得部３２０５、送信先識別子取得部３２０６、サーバ送信部３２０７を備える。また、図２２において、表示装置３３は、表示装置識別子格納部３３０１、ユーザ関連情報格納部３３０２、受信部３３０３、ユーザ関連情報蓄積部３３０４、ユーザ関連情報取得部３３０５、送信部３３０６、出力部３３０７を備える。
【０３０２】
広告管理情報格納部３２０１、送信先識別子格納部３２０２、サーバ送信部３２０７、表示装置識別子格納部３３０１、ユーザ関連情報格納部３３０２、受信部３３０３、出力部３３０７における処理などは、それぞれ、広告管理情報格納部１２０１、送信先識別子格納部１２０３、サーバ送信部１２１０、表示装置識別子格納部１３０１、ユーザ関連情報格納部１２０２、受信部１３０２、出力部１３０３における処理と同様であるので、説明を省略する。
【０３０３】
サーバ受信部３２０３は、表示装置３３から、ユーザ関連情報群または統計的ユーザ関連情報を受信する。当該ユーザ関連情報群および統計的ユーザ関連情報には、例えば、表示装置識別子や、表示装置位置情報、端末位置情報などが対応付いていてもよい。
【０３０４】
また、送信先識別子蓄積部３２０４は、サーバ受信部３２０３が受信したユーザ関連情報群または統計的ユーザ関連情報に対応付いている表示装置識別子を、送信先識別子として送信先識別子格納部３２０２に蓄積する。
【０３０５】
また、広告情報取得部３２０５は、サーバ受信部３２０３が受信したユーザ関連情報群または統計的ユーザ関連情報に対応する広告情報を、広告管理情報格納部１２０１から取得する。
【０３０６】
また、送信先識別子取得部３２０６は、広告情報を取得したユーザ関連情報群または統計的ユーザ関連情報に対応する送信先識別子を、送信先識別子格納部３２０２から取得する。
【０３０７】
また、ユーザ関連情報蓄積部３３０４は、受信部３３０３が受信したユーザ関連情報を、ユーザ関連情報格納部３３０２に蓄積する。
【０３０８】
また、ユーザ関連情報取得部３３０５は、ユーザ関連情報格納部３３０２から、１以上のユーザ関連情報群を取得する。また、ユーザ関連情報取得部３３０５は、当該ユーザ関連情報群を用いて、統計的ユーザ関連情報を取得する。
【０３０９】
また、送信部３３０６は、ユーザ関連情報取得部３３０５が取得したユーザ関連情報群または統計的ユーザ関連情報を、サーバ装置３２に送信する。
【０３１０】
なお、サーバ受信部３２０３、送信先識別子蓄積部３２０４、広告情報取得部３２０５、送信先識別子取得部３２０６、ユーザ関連情報蓄積部３３０４、ユーザ関連情報取得部３３０５、送信部３３０６における処理などについて、上記での説明以外の処理などは、それぞれ、サーバ受信部１２０４、送信先識別子蓄積部１２０６、広告情報取得部１２０８、送信先識別子取得部１２０９、ユーザ関連情報蓄積部１２０５、ユーザ関連情報取得部１２０７、送信部１３０４における処理などと同様であるので、説明を省略する。
【０３１１】
また、上記実施の形態１において、広告表示システム１は、サーバ装置１２を備えていなくてもよい。この場合、表示装置１３は、端末装置１１から受信した２以上のユーザ関連情報または、当該２以上のユーザ関連情報を用いて取得する統計的ユーザ関連情報に対応する広告情報を出力する。また、この場合の表示装置１３は、図２３のブロック図に示す表示装置４３である。図２３において、表示装置４３は、広告管理情報格納部４３０１、ユーザ関連情報格納部４３０２、受信部４３０３、ユーザ関連情報蓄積部４３０４、ユーザ関連情報取得部４３０５、広告情報取得部４３０６、出力部４３０７、送信部４３０８を備える。
【０３１２】
広告管理情報格納部４３０１、ユーザ関連情報格納部４３０２、受信部４３０３における処理などは、それぞれ、広告管理情報格納部１２０１、ユーザ関連情報格納部１２０２、受信部１３０２における処理などと同様であるので、説明を省略する。
【０３１３】
ユーザ関連情報蓄積部４３０４は、受信部３３０３が受信したユーザ関連情報を、ユーザ関連情報格納部４３０２に蓄積する。
【０３１４】
また、ユーザ関連情報取得部４３０５は、ユーザ関連情報格納部４３０２から、１以上のユーザ関連情報群を取得する。また、ユーザ関連情報取得部４３０５は、当該ユーザ関連情報群を用いて、統計的ユーザ関連情報を取得する。
【０３１５】
また、広告情報取得部４３０６は、ユーザ関連情報取得部４３０５が取得したユーザ関連情報群または統計的ユーザ関連情報に対応する広告情報を、広告管理情報格納部４３０１から取得する。
【０３１６】
また、出力部４３０７は、広告情報取得部４３０６が取得した広告情報を出力する。
【０３１７】
また、送信部４３０８は、広告情報取得部４３０６が取得した広告情報に位置特定情報が対応付いている場合に、当該位置特定情報を、端末装置１１に送信する。
【０３１８】
なお、ユーザ関連情報蓄積部４３０４、ユーザ関連情報取得部４３０５、広告情報取得部４３０６、出力部４３０７、送信部４３０８における処理などについて、上記での説明以外の処理などは、それぞれ、ユーザ関連情報蓄積部１２０５、ユーザ関連情報取得部１２０７、広告情報取得部１２０８、送信部１３０４、出力部１３０３における処理などと同様であるので、説明を省略する。
【０３１９】
また、上記実施の形態２において、広告表示システム２は、表示装置２３が、広告管理情報を保持していてもよい。この場合、サーバ装置２２は、広告管理情報を保持しない。また、この場合のサーバ装置２２および表示装置２３は、図２４のブロック図に示すサーバ装置５２および表示装置５３である。図２４において、サーバ装置２２は、ユーザ関連情報格納部５２０１、送信先識別子格納部５２０２、サーバ受信部５２０３、ユーザ関連情報蓄積部５２０４、ユーザ関連情報取得部５２０５、送信先識別子取得部５２０６、サーバ送信部５２０７を備える。また、図２４において、表示装置２３は、広告管理情報格納部５３０１、受信部５３０２、広告情報取得部５３０３、出力部５３０４、送信部５３０５を備える。
【０３２０】
ユーザ関連情報格納部５２０１、送信先識別子格納部５２０２、サーバ受信部５２０３、ユーザ関連情報蓄積部５２０４、ユーザ関連情報取得部５２０５、送信先識別子取得部５２０６、広告管理情報格納部５３０１における処理などは、それぞれ、ユーザ関連情報格納部１２０２、送信先識別子格納部１２０３、サーバ受信部２２０４、広告管理情報格納部１２０１などにおける処理などと同様であるので、説明を省略する。
【０３２１】
サーバ送信部５２０７は、ユーザ関連情報取得部５２０５が取得したユーザ関連情報群または統計的ユーザ関連情報を、送信先識別子取得部５２０６が取得した送信先識別子により識別される表示装置５３に送信する。
【０３２２】
また、受信部５３０２は、サーバ装置５２から、ユーザ関連情報群または統計的ユーザ関連情報を受信する。
【０３２３】
また、広告情報取得部５３０３は、受信部５３０２が受信したユーザ関連情報群または統計的ユーザ関連情報に対応する広告情報を、広告管理情報格納部５３０１から取得する。
【０３２４】
また、出力部５３０４は、広告情報取得部５３０３が取得した広告情報を出力する。
【０３２５】
また、送信部５３０５は。広告情報取得部５３０３が取得した広告情報に位置特定情報が対応付いている場合に、当該位置特定情報を、端末装置２１に送信する。
【０３２６】
なお、サーバ送信部５２０７、受信部５３０２、広告情報取得部５３０３、出力部５３０４、送信部５３０５などにおける処理について、上記での説明以外の処理などは、それぞれ、サーバ送信部１２１０、受信部２３０２、広告情報取得部１２０８、出力部１３０３、送信部２３０４などにおける処理などと同様であるので、説明を省略する。
【０３２７】
また、上記実施の形態２において、表示装置２３が、広告管理情報を保持する場合、サーバ装置２２および表示装置２３は、次の様な構成であってもよい。つまり、この場合のサーバ装置２２および表示装置２３は、図２５のブロック図に示すサーバ装置６２および表示装置６３であってもよい。図２５のブロック図において、サーバ装置６２は、送信先識別子格納部６２０１、サーバ受信部６２０２、送信先識別子取得部６２０３、サーバ送信部６２０４を備える。また、図２５のブロック図において、表示装置６３は、広告管理情報格納部６３０１、ユーザ関連情報格納部６３０２、受信部６３０３、ユーザ関連情報蓄積部６３０４、ユーザ関連情報取得部６３０５、広告情報取得部６３０６、出力部６３０７、送信部６３０８を備える。
【０３２８】
送信先識別子格納部６２０１、サーバ受信部６２０２、広告管理情報格納部６３０１、ユーザ関連情報格納部６３０２における処理などは、それぞれ、送信先識別子格納部１２０３、サーバ受信部２２０４、広告管理情報格納部１２０１、ユーザ関連情報格納部１２０２における処理などと同様であるので、説明を省略する。
【０３２９】
送信先識別子取得部６２０３は、サーバ受信部６２０２が受信したユーザ関連情報に対応付いている端末位置情報が示す位置との距離が予め決められた条件を満たすほど近い位置を示す表示装置位置情報が対応付いている送信先識別子を、送信先識別子格納部６２０１から取得する。
【０３３０】
また、サーバ送信部６２０４は、サーバ受信部６２０２が受信したユーザ関連情報を、当該ユーザ関連情報に対応付いている端末位置情報と共に、送信先識別子取得部６２０３が取得した送信先識別子により識別される表示装置６３に送信する。
【０３３１】
また、受信部６３０３は、サーバ装置６２から、ユーザ関連情報を受信する。
【０３３２】
また、ユーザ関連情報蓄積部６３０４は、受信部６３０３が受信したユーザ関連情報を、当該ユーザ関連情報に対応付いている端末位置情報と共に、ユーザ関連情報格納部６３０２に蓄積する。
【０３３３】
また、ユーザ関連情報取得部６３０５は、ユーザ関連情報格納部６３０２から、１以上のユーザ関連情報群を取得する。また、ユーザ関連情報取得部６３０５は、当該ユーザ関連情報群を用いて、統計的ユーザ関連情報を取得する。
【０３３４】
また、広告情報取得部６３０６は、ユーザ関連情報取得部６３０５が取得したユーザ関連情報群または統計的ユーザ関連情報に対応する広告情報を、広告管理情報格納部６３０１から取得する。
【０３３５】
また、出力部６３０７は、広告情報取得部６３０６が取得した広告情報を出力する。
【０３３６】
また、送信部６３０８は、広告情報取得部６３０６が取得した広告情報に位置特定情報が対応付いている場合に、当該位置特定情報を端末装置２１に送信する。
【０３３７】
なお、送信先識別子取得部６２０３、サーバ送信部６２０４、受信部６３０３、ユーザ関連情報蓄積部６３０４、ユーザ関連情報取得部６３０５、広告情報取得部６３０６、出力部６３０７、送信部６３０８における処理などについて、上記での説明以外の処理などは、それぞれ、送信先識別子取得部２２０９、サーバ送信部１２１０、受信部２３０２、ユーザ関連情報蓄積部１２０５、ユーザ関連情報取得部２２０７、広告情報取得部１２０８、出力部１３０３、送信部２３０４における処理などと同様であるので、説明を省略する。
【０３３８】
また、上記各実施の形態において、広告情報取得部１２０８が一のユーザ関連情報または一の統計的ユーザ関連情報に対して２以上の広告情報を取得た場合の表示装置１３および表示装置２３における出力例は、例えば、図２６である。図２６において、出力部１３０３は、２つの広告情報を、上下に出力している。
【０３３９】
また、上記各実施の形態において、一の装置に存在する２以上の通信手段は、物理的に一の媒体で実現されてもよいことは言うまでもない。
【０３４０】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０３４１】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０３４２】
また、上記各実施の形態における広告表示システムを実現するソフトウェアは、例えば、以下のようなプログラムである。つまり、このプログラムは、広告を示す広告情報と、当該広告情報を取得するための条件である取得条件とを有する１以上の広告管理情報が格納される広告管理情報格納部とにアクセス可能なコンピュータを、２以上の各ユーザに関する情報である２以上のユーザ関連情報を受信する受信部と、前記受信部が受信した２以上のユーザ関連情報と、前記１以上の各広告管理情報が有する１以上の取得条件とを用いて、当該２以上のユーザ関連情報に対応する１以上の広告情報を、前記広告管理情報格納部から取得する広告情報取得部と、前記広告情報取得部が取得した広告情報を出力する出力部として機能させるためのプログラムである。
【０３４３】
なお、上記プログラムにおいて、上記プログラムが実現する機能には、ハードウェアでしか実現できない機能は含まれない。
【０３４４】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０３４５】
また、上記プログラムを実行するコンピュータは、単数であってもよいし、複数であってもよい。つまり、集中処理を行ってもよいし、あるいは分散処理を行ってもよい。
【０３４６】
また、図２７は、前述のプログラムを実行して、前述の実施の形態のサーバ装置等を実現するコンピュータシステム９の概観図である。前述の実施の形態は、コンピュータハードウェア、およびその上で実行されるコンピュータプログラムで実現され得る。
【０３４７】
図２７において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０３４８】
図２８は、コンピュータシステム９のブロック図である。図２８において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０３４９】
コンピュータシステム９に、前述の実施の形態のサーバ装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０３５０】
プログラムは、コンピュータ９０１に、前述の実施の形態のサーバ装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０３５１】
本発明は、以上の実施の形態に限定されることなく、種々の変更が可能であり、それらも本発明の範囲内に包含されるものであることは言うまでもない。
【産業上の利用可能性】
【０３５２】
以上のように、本発明にかかるサーバ装置は、表示装置の近くにいる複数のユーザが端末装置に入力した用語や、当該複数のユーザの属性などに適合する適切な広告を、自動的に表示することができるという効果を有し、いわゆるサイネージディスプレイに広告を送信するシステム等として有用である。
【符号の説明】
【０３５３】
１、２  広告表示システム
１１、２１  端末装置
１２、２２  サーバ装置
１３、２３  表示装置
１１０１  端末ユーザ関連情報格納部
１１０２  端末位置情報取得部
１１０３  端末受付部
１１０４、２１０４  端末送信部
１１０５  端末受信部
１１０６  経路探索部
１１０７  端末出力部
１２０１  広告管理情報格納部
１２０２  ユーザ関連情報格納部
１２０３  送信先識別子格納部
１２０４、２２０４  サーバ受信部
１２０５  ユーザ関連情報蓄積部
１２０６  送信先識別子蓄積部
１２０７、２２０７  ユーザ関連情報取得部
１２０８  広告情報取得部
１２０９、２２０９  送信先識別子取得部
１２１０  サーバ送信部
１３０１  表示装置識別子格納部
１３０２、２３０２  受信部
１３０３  出力部
１３０４、２３０４  送信部
【図１】
2014170451.tif 000003
【図２】
2014170451.tif 000004
【図３】
2014170451.tif 000005
【図４】
2014170451.tif 000006
【図５】
2014170451.tif 000007
【図６】
2014170451.tif 000008
【図７】
2014170451.tif 000009
【図８】
2014170451.tif 000010
【図９】
2014170451.tif 000011
【図１０】
2014170451.tif 000012
【図１１】
2014170451.tif 000013
【図１２】
2014170451.tif 000014
【図１３】
2014170451.tif 000015
【図１４】
2014170451.tif 000016
【図１５】
2014170451.tif 000017
【図１６】
2014170451.tif 000018
【図１７】
2014170451.tif 000019
【図１８】
2014170451.tif 000020
【図１９】
2014170451.tif 000021
【図２０】
2014170451.tif 000022
【図２１】
2014170451.tif 000023
【図２２】
2014170451.tif 000024
【図２３】
2014170451.tif 000025
【図２４】
2014170451.tif 000026
【図２５】
2014170451.tif 000027
【図２６】
2014170451.tif 000028
【図２７】
2014170451.tif 000029
【図２８】
2014170451.tif 000030